(57)【要約】  キラルシフト性を有する大環状アミド化合物をキラルセレクターとして有する新規なクロマトグラフィー用光学異性体分離剤を提供する。  不斉識別部位と水素結合供与部位としてのアミド基と水素結合受容部位とを含む特定の環構造を担体に化学結合によって結合して、クロマトグラフィー用光学異性体分離剤を形成する。【特許請求の範囲】
【請求項１】
下記の一般式（１）で表される化合物を担体に化学的結合により担持させてなるクロマトグラフィー用光学異性体分離剤。
【化１】
2009096540.tif 000045
（一般式（１）中、Ｒは炭素数２〜３０の不斉構造を有する有機基を表し、Ａｒ１は独立して水素結合受容性を有する二価の基又は炭素数３〜１０の芳香族基を表し、Ａｒ２は炭素数３〜１４の芳香族基又は複素環基を表し、Ｚは独立して単結合又は二価の基を表し、Ｙは担体と化学的に結合する基を表す。）
【請求項２】
一般式（１）におけるＲが、下記一般式（２）、一般式（３）、一般式（４）、構造式（５）、又は構造式（６）で表されることを特徴とする請求項１に記載の分離剤。
【化２】
2009096540.tif 000046
（一般式（２）中、Ｒ１環は独立して芳香族環、脂肪族環、又はなしを表し、Ｒ２は独立して水素原子、炭素数１〜５の直鎖若しくは枝分かれのアルキル基、芳香族基、エステル基又はハロゲン原子を表し、一般式（３）中、Ｒ３は独立して水素原子、炭素数１〜５の直鎖若しくは枝分かれのアルキル基、ニトロ基、芳香族基、エステル基又はハロゲン原子を表し、Ｒ４は独立して水素原子、炭素数１〜５の直鎖若しくは枝分かれのアルキル基、芳香族基、エステル基、又はハロゲン原子を表し、一般式（４）中、Ｒ５は独立して水素原子、炭素数１〜５の直鎖又は枝分かれのアルキル基、芳香族基又はエステル基を表す。）
【請求項３】
一般式（１）におけるＲが下記構造式（７）で表されることを特徴とする請求項２に記載の分離剤。
【化３】
2009096540.tif 000047
（一般式（７）の絶対配置は（Ｒ）でも（Ｓ）でも良い。）
【請求項４】
前記水素結合受容性を有する二価の基が炭素数３〜１０の複素環基であることを特徴とする請求項１〜３のいずれか一項に記載の分離剤。
【請求項５】
一般式（１）におけるＡｒ１が下記構造式（８）で表され、Ａｒ２が下記構造式（９）で表されることを特徴とする請求項１〜４のいずれか一項に記載の分離剤。
【化４】
2009096540.tif 000048
【請求項６】
一般式（１）におけるＺが酸素、窒素、及び硫黄の少なくとも一つを含む二価の有機基であることを特徴とする請求項１〜５のいずれか一項に記載の分離剤。
【請求項７】
一般式（１）におけるＺが下記構造式（１０）〜（１５）で表されるいずれかであることを特徴とする請求項６に記載の分離剤。
【化５】
2009096540.tif 000049
【請求項８】
前記担体がシリカゲルであることを特徴とする請求項１〜７のいずれか一項に記載の分離剤。
【請求項９】
一般式（１）におけるＹがシラノール基と反応してシロキサン結合を形成する基であることを特徴とする請求項８に記載の分離剤。
【請求項１０】
一般式（１）におけるＹが下記一般式（１６）〜（２０）で表されるいずれかであることを特徴とする請求項９に記載の分離剤。
【化６】
2009096540.tif 000050
（一般式（１６）〜（２０）中、ｎは１〜２０の整数を表す。）
【請求項１１】
下記一般式（ＩＩ）で表されるジアミン（ＩＩ）の２当量と下記一般式（Ｉ）で表される酸化合物（Ｉ）又は下記一般式（ＩＶ）で表される酸化合物（ＩＶ）の１当量とを反応させて、下記一般式（ＩＩＩ）で表されるジアミン（ＩＩＩ）又は下記一般式（ＶＩＩ）で表されるジアミン（ＶＩＩ）を得る工程と、
ジアミン（ＩＩＩ）又は（ＶＩＩ）と酸化合物（ＩＶ）又は（Ｉ）とを同当量で反応させて、下記一般式（Ｖ）で表される環状アミド化合物（Ｖ）を得る工程と、
環状アミド化合物（Ｖ）のＹと担体とを、直接又は架橋基を介して反応させて、下記一般式（ＶＩ）で表されるクロマトグラフィー用光学異性体分離剤を得る工程とを含む、クロマトグラフィー用光学異性体分離剤の製造方法。
【化７】
2009096540.tif 000051
（一般式（Ｉ）、（ＩＩＩ）、（Ｖ）及び（ＶＩ）中、Ａｒ２は炭素数３〜１０の芳香族基又は複素環基を表し、Ｙは担体と化学的に結合する基又はその前駆構造の基を表し、
一般式（ＩＩ）、（ＩＩＩ）及び（Ｖ）〜（ＶＩＩ）中、Ａｒ１は独立して炭素数３〜１０の芳香族基又は複素環基を表し、
一般式（ＩＶ）〜（ＶＩＩ）中、Ｒは炭素数２〜３０の不斉構造を有する有機基を表し、Ｚ’は独立して単結合又は二価の基を表し、
一般式（ＶＩ）中、Ｙ’は担体と化学的に結合している基を表し、
一般式（Ｉ）及び（ＩＶ）中、Ａｃはカルボキシル基又は−ＣＯＣｌを表す。）
【請求項１２】
前記一般式（ＩＩ）で表されるジアミン（ＩＩ）の２当量と前記一般式（Ｉ）で表される酸化合物（Ｉ）の１当量とを反応させて、前記一般式（ＩＩＩ）で表されるジアミン（ＩＩＩ）を得る工程と、
ジアミン（ＩＩＩ）と酸化合物（ＩＶ）とを同当量で反応させて、前記一般式（Ｖ）で表される環状アミド化合物（Ｖ）を得る工程と、
環状アミド化合物（Ｖ）のＹと担体とを、直接又は架橋基を介して結合させて、前記一般式（ＶＩ）で表されるクロマトグラフィー用光学異性体分離剤を得る工程とを含む、請求項１１に記載の分離剤の製造方法。
【請求項１３】
前記Ｒが下記構造式（７）で表されることを特徴とする請求項１１又は１２に記載の分離剤の製造方法。
【化８】
2009096540.tif 000052
（一般式（７）の絶対配置は（Ｒ）でも（Ｓ）でも良い。）
【請求項１４】
前記Ａｒ１が下記構造式（８）で表され、前記Ａｒ２が下記構造式（９）で表されることを特徴とする請求項１１〜１３のいずれか一項に記載の分離剤の製造方法。
【化９】
2009096540.tif 000053
【請求項１５】
前記Ｚ’が−Ｏ−、−Ｏ−ＣＨ2−、−ＣＨ2−、又は−Ｓ−ＣＨ2−であることを特徴とする請求項１１〜１４のいずれか一項に記載の分離剤の製造方法。
【請求項１６】
前記担体がシリカゲルであることを特徴とする請求項１１〜１５のいずれか一項に記載の分離剤の製造方法。
【請求項１７】
前記シリカゲルが前記架橋基となる基で表面修飾されていることを特徴とする請求項１６に記載の分離剤の製造方法。
【請求項１８】
前記架橋基となる基が下記一般式（２１）〜（２５）で表されるいずれかであることを特徴とする請求項１７に記載の分離剤の製造方法。
【化１０】
2009096540.tif 000054
（一般式（２１）〜（２５）中、ｍ及びｎはそれぞれ１〜２０の整数を表す。）
【発明の詳細な説明】
【技術分野】
【０００１】
本発明は、キラル空洞内の多重水素結合を利用した不斉認識機能を有する光学活性大環状化合物を含むクロマトグラフィー用光学異性体分離剤及びその製造方法に関する。
【背景技術】
【０００２】
不斉炭素を有する化合物を含む医薬品、農薬や液晶材料が増加するにつれて、これらの化合物とその合成中間体の光学純度を正確に決定する必要性が生じている。光学純度の決定手段としては、キラル誘導体化試薬やキラルシフト試薬（又はキラル溶媒和試薬）を利用したＮＭＲ法と、キラル固定相を詰めたキラルカラムを用いる高速液体クロマトグラフィー（ＨＰＬＣ）法ならびにガスクロマトグラフィー法が知られている。【０００３】
中でもＨＰＬＣ法は、幅広い化合物に対して信頼性の高い分析結果を示す方法として広く認知されている。しかもＨＰＬＣ法は、キラル化合物の分析に加えて分取もできるという特徴を有している。ＨＰＬＣ法に用いられるキラル固定相には、一般に、シリカゲル等の担体とそれに共有結合して担持されるキラルセレクターとからなる固定相が知られている。このようなキラル固定相には、例えば環状アミド化合物が担体であるシリカゲルに共有結合によって結合してなる固定相が知られている（例えば、非特許文献１及び非特許文献２参照。）。【０００４】
一方、前記ＮＭＲ法に用いられるキラルシフト試薬には、例えばＮＭＲスペクトルで不斉識別することができるキラルシフト性環状アミド化合物が報告されている（例えば、非特許文献３参照。）。しかしながら、特にキラルシフト性化合物に関しては、重クロロホルムなどの非プロトン性溶媒中でのみ識別能力が発揮され、アルコールなどのプロトン性重溶剤を共存させると識別能力が低下することが知られている。一方、クロマトグラフィー用識別剤はアルコールを含む、多様な溶剤が移動相として用いられるため、キラルシフト性化合物の不斉識別能力そのものが発揮されるとは考えられず、またそのような検討もほとんどなされていなかった。
【非特許文献１】D. W. Armstrong, Y. Tang, S. Chen, Y. Zhou, C. Bagwill, J.-R. Chen, Macrocyclic antibiotics as a new class of chiral selectors for liquid chromatography. Anal. Chem., 66(9), 1473-1484 (1994).
【非特許文献２】F. Gasparrini, D. Misiti, M. Pierini, C. Villani, A chiral A2B2 macrocyclic minireceptor with extreme enantioselectivity. Org. Lett., 4(23), 3993-3996 (2002).
【非特許文献３】T. Ema, D. Tanida, T. Sakai, Versatile and practical macrocyclic reagent with multiple hydrogen-bonding sites for chiral discrimination in NMR. J. Am. Chem. Soc., 129(34), 10591-10596 (2007).
【発明の開示】
【発明が解決しようとする課題】
【０００５】
本発明は、キラルシフト性を有する環構造をキラルセレクターとして有する新規なクロマトグラフィー用光学異性体分離剤を提供する。
【課題を解決するための手段】
【０００６】
本発明は、前記キラルシフト性環状アミド化合物における不斉識別部位と水素結合供与部位と水素結合受容部位とを含む環状の不斉分子識別部位を担体に化学結合によって結合してなる組成物がクロマトグラフィーにおいて光学異性体の分離能を有することが見出されたことに基づく。【０００７】
すなわち本発明は、下記の一般式（１）で表される化合物を担体に化学的結合により担持させてなるクロマトグラフィー用光学異性体分離剤を提供する。【０００８】
【化１】
2009096540.tif 000002
【０００９】
一般式（１）中、Ｒは炭素数２〜３０の不斉構造を有する有機基を表し、Ａｒ１は独立して水素結合受容性を有する二価の基又は炭素数３〜１０の芳香族基を表し、Ａｒ２は炭素数３〜１４の芳香族基又は複素環基を表し、Ｚは独立して単結合又は二価の基を表し、Ｙは担体と化学的に結合する基を表す。【００１０】
また本発明は、一般式（１）におけるＲが、下記一般式（２）、一般式（３）、一般式（４）、構造式（５）、又は構造式（６）で表されることを特徴とする前記分離剤を提供する。【００１１】
【化２】
2009096540.tif 000003
【００１２】
一般式（２）中、Ｒ１環は独立して芳香族環、脂肪族環、又はなしを表し、Ｒ２は独立して水素原子、炭素数１〜５の直鎖若しくは枝分かれのアルキル基、芳香族基、エステル基又はハロゲン原子を表し、一般式（３）中、Ｒ３は独立して水素原子、炭素数１〜５の直鎖若しくは枝分かれのアルキル基、ニトロ基、芳香族基、エステル基又はハロゲン原子を表し、Ｒ４は独立して水素原子、炭素数１〜５の直鎖若しくは枝分かれのアルキル基、芳香族基、エステル基、又はハロゲン原子を表し、一般式（４）中、Ｒ５は独立して水素原子、炭素数１〜５の直鎖又は枝分かれのアルキル基、芳香族基又はエステル基を表す。【００１３】
また本発明は、一般式（１）におけるＲが下記構造式（７）で表されることを特徴とする前記分離剤を提供する。なお、一般式（７）の絶対配置は（Ｒ）でも（Ｓ）でも良い。【００１４】
【化３】
2009096540.tif 000004
【００１５】
また本発明は、前記水素結合受容性を有する二価の基が炭素数３〜１０の複素環基であることを特徴とする前記分離剤を提供する。【００１６】
また本発明は、一般式（１）におけるＡｒ１が下記構造式（８）で表され、Ａｒ２が下記構造式（９）で表されることを特徴とする前記分離剤を提供する。【００１７】
【化４】
2009096540.tif 000005
【００１８】
また本発明は、一般式（１）におけるＺが酸素、窒素、及び硫黄の少なくとも一つを含む二価の有機基であることを特徴とする前記分離剤を提供する。【００１９】
また本発明は、一般式（１）におけるＺが下記構造式（１０）〜（１５）で表されるいずれかであることを特徴とする前記分離剤を提供する。【００２０】
【化５】
2009096540.tif 000006
【００２１】
また本発明は、前記担体がシリカゲルであることを特徴とする前記分離剤を提供する。【００２２】
また本発明は、一般式（１）におけるＹがシラノール基と反応してシロキサン結合を形成する基であることを特徴とする前記分離剤を提供する。【００２３】
また本発明は、一般式（１）におけるＹが下記一般式（１６）〜（２０）で表されるいずれかであることを特徴とする前記分離剤を提供する。【００２４】
【化６】
2009096540.tif 000007
【００２５】
一般式（１６）〜（２０）中、ｎは１〜２０の整数を表す。【００２６】
また本発明は、下記一般式（ＩＩ）で表されるジアミン（ＩＩ）の２当量と下記一般式（Ｉ）で表される酸化合物（Ｉ）又は下記一般式（ＩＶ）で表される酸化合物（ＩＶ）の１当量とを反応させて、下記一般式（ＩＩＩ）で表されるジアミン（ＩＩＩ）又は下記一般式（ＶＩＩ）で表されるジアミン（ＶＩＩ）を得る工程と、
ジアミン（ＩＩＩ）又は（ＶＩＩ）と酸化合物（ＩＶ）又は（Ｉ）とを同当量で反応させて、下記一般式（Ｖ）で表される環状アミド化合物（Ｖ）を得る工程と、
環状アミド化合物（Ｖ）のＹと担体とを、直接又は架橋基を介して反応させて、下記一般式（ＶＩ）で表されるクロマトグラフィー用光学異性体分離剤を得る工程とを含む、クロマトグラフィー用光学異性体分離剤の製造方法を提供する。【００２７】
【化７】
2009096540.tif 000008
【００２８】
一般式（Ｉ）、（ＩＩＩ）、（Ｖ）及び（ＶＩ）中、Ａｒ２は炭素数３〜１０の芳香族基又は複素環基を表し、Ｙは担体と化学的に結合する基又はその前駆構造の基を表し、
一般式（ＩＩ）、（ＩＩＩ）及び（Ｖ）〜（ＶＩＩ）中、Ａｒ１は独立して炭素数３〜１０の芳香族基又は複素環基を表し、
一般式（ＩＶ）〜（ＶＩＩ）中、Ｒは炭素数２〜３０の不斉構造を有する有機基を表し、Ｚ’は独立して単結合又は二価の基を表し、
一般式（ＶＩ）中、Ｙ’は担体と化学的に結合している基を表し、
一般式（Ｉ）及び（ＩＶ）中、Ａｃはカルボキシル基又は−ＣＯＣｌを表す。【００２９】
また本発明は、前記一般式（ＩＩ）で表されるジアミン（ＩＩ）の２当量と前記一般式（Ｉ）で表される酸化合物（Ｉ）の１当量とを反応させて、前記一般式（ＩＩＩ）で表されるジアミン（ＩＩＩ）を得る工程と、
ジアミン（ＩＩＩ）と酸化合物（ＩＶ）とを同当量で反応させて、前記一般式（Ｖ）で表される環状アミド化合物（Ｖ）を得る工程と、
環状アミド化合物（Ｖ）のＹと担体とを、架橋基を介して結合させて、前記一般式（ＶＩ）で表されるクロマトグラフィー用光学異性体分離剤を得る工程とを含む、前記方法を提供する。【００３０】
また本発明は、前記Ｒが前記構造式（７）（一般式（７）の絶対配置は（Ｒ）でも（Ｓ）でも良い。）で表されることを特徴とする前記方法を提供する。【００３１】
また本発明は、前記Ａｒ１が前記構造式（８）で表され、前記Ａｒ２が前記構造式（９）で表されることを特徴とする前記方法を提供する。【００３２】
また本発明は、前記Ｚ’が−Ｏ−、−Ｏ−ＣＨ2−、−ＣＨ2−、又は−Ｓ−ＣＨ2−であることを特徴とする前記方法を提供する。【００３３】
また本発明は、前記担体がシリカゲルであることを特徴とする前記方法を提供する。【００３４】
また本発明は、前記シリカゲルが前記架橋基となる基で表面修飾されていることを特徴とする前記方法を提供する。【００３５】
また本発明は、前記架橋基となる基が下記一般式（２１）〜（２５）で表されるいずれかであることを特徴とする前記方法を提供する。【００３６】
【化８】
2009096540.tif 000009
【００３７】
一般式（２１）〜（２５）中、ｍ及びｎはそれぞれ１〜２０の整数を表す。
【発明の効果】
【００３８】
本発明は、キラルシフト性を有する環構造をキラルセレクターとして有する新規なクロマトグラフィー用光学異性体分離剤を提供することができる。
【図面の簡単な説明】
【００３９】
【図１】実施例３の評価１における評価サンプル１のクロマトグラムを示す図である。
【図２】実施例３の評価１における評価サンプル２のクロマトグラムを示す図である。
【図３】実施例３の評価１における評価サンプル３のクロマトグラムを示す図である。
【図４】実施例３の評価１における評価サンプル４のクロマトグラムを示す図である。
【図５】実施例３の評価１における評価サンプル５のクロマトグラムを示す図である。
【図６】実施例３の評価１における評価サンプル６のクロマトグラムを示す図である。
【図７】実施例３の評価１における評価サンプル７のクロマトグラムを示す図である。
【図８】実施例３の評価２における評価サンプル１のクロマトグラムを示す図である。
【図９】実施例３の評価２における評価サンプル２のクロマトグラムを示す図である。
【図１０】実施例３の評価２における評価サンプル３のクロマトグラムを示す図である。
【図１１】実施例３の評価２における評価サンプル４のクロマトグラムを示す図である。
【図１２】実施例３の評価２における評価サンプル５のクロマトグラムを示す図である。
【図１３】実施例３の評価２における評価サンプル６のクロマトグラムを示す図である。
【図１４】実施例３の評価２における評価サンプル８のクロマトグラムを示す図である。
【図１５】実施例３の評価３における評価サンプル３のクロマトグラムを示す図である。
【図１６】実施例３の評価３における評価サンプル８のクロマトグラムを示す図である。
【図１７】実施例３の評価４における評価サンプル２のクロマトグラムを示す図である。
【図１８】実施例３の評価４における評価サンプル３のクロマトグラムを示す図である。
【図１９】実施例３の評価４における評価サンプル６のクロマトグラムを示す図である。
【図２０】実施例３の評価４における評価サンプル８のクロマトグラムを示す図である。
【図２１】実施例３の評価４における評価サンプル９のクロマトグラムを示す図である。
【図２２】実施例４の評価１における評価サンプル１のクロマトグラムを示す図である。
【図２３】実施例４の評価１における評価サンプル２のクロマトグラムを示す図である。
【図２４】実施例４の評価１における評価サンプル３のクロマトグラムを示す図である。
【図２５】実施例４の評価１における評価サンプル４のクロマトグラムを示す図である。
【図２６】実施例４の評価１における評価サンプル５のクロマトグラムを示す図である。
【図２７】実施例４の評価１における評価サンプル６のクロマトグラムを示す図である。
【図２８】実施例４の評価１における評価サンプル７のクロマトグラムを示す図である。
【図２９】実施例４の評価１における評価サンプル８のクロマトグラムを示す図である。
【図３０】実施例４の評価１における評価サンプル９のクロマトグラムを示す図である。
【図３１】実施例４の評価２における評価サンプル２のクロマトグラムを示す図である。
【図３２】実施例４の評価２における評価サンプル３のクロマトグラムを示す図である。
【図３３】実施例４の評価２における評価サンプル４のクロマトグラムを示す図である。
【図３４】実施例４の評価２における評価サンプル５のクロマトグラムを示す図である。
【図３５】実施例４の評価２における評価サンプル６のクロマトグラムを示す図である。
【図３６】実施例４の評価２における評価サンプル７のクロマトグラムを示す図である。
【図３７】実施例４の評価２における評価サンプル８のクロマトグラムを示す図である。
【図３８】実施例４の評価２における評価サンプル９のクロマトグラムを示す図である。
【図３９】実施例４の評価３における評価サンプル３のクロマトグラムを示す図である。
【図４０】実施例４の評価３における評価サンプル４のクロマトグラムを示す図である。
【図４１】実施例４の評価３における評価サンプル６のクロマトグラムを示す図である。
【図４２】実施例４の評価３における評価サンプル８のクロマトグラムを示す図である。
【図４３】実施例４の評価４における評価サンプル２のクロマトグラムを示す図である。
【図４４】実施例４の評価４における評価サンプル３のクロマトグラムを示す図である。
【図４５】実施例４の評価４における評価サンプル５のクロマトグラムを示す図である。
【図４６】実施例４の評価４における評価サンプル６のクロマトグラムを示す図である。
【図４７】実施例４の評価４における評価サンプル８のクロマトグラムを示す図である。
【図４８】実施例５の評価１における評価サンプル３（移動相がＣＯ2／ＭｅＯＨ）のクロマトグラムを示す図である。
【図４９】実施例５の評価１における評価サンプル３（移動相がＣＯ2／ＥｔＯＨ）のクロマトグラムを示す図である。
【図５０】実施例５の評価１における評価サンプル３（移動相がＣＯ2／ＩＰＡ）のクロマトグラムを示す図である。
【図５１】実施例５の評価１における評価サンプル３（移動相がＣＯ2／ＭｅＣＮ）のクロマトグラムを示す図である。
【図５２】実施例５の評価１における評価サンプル６（移動相がＣＯ2／ＭｅＯＨ）のクロマトグラムを示す図である。
【図５３】実施例５の評価１における評価サンプル６（移動相がＣＯ2／ＥｔＯＨ）のクロマトグラムを示す図である。
【図５４】実施例５の評価１における評価サンプル６（移動相がＣＯ2／ＩＰＡ）のクロマトグラムを示す図である。
【図５５】実施例５の評価１における評価サンプル６（移動相がＣＯ2／ＭｅＣＮ）のクロマトグラムを示す図である。
【図５６】実施例１１の評価１における評価サンプル３のクロマトグラムを示す図である。
【図５７】実施例１１の評価１における評価サンプル４のクロマトグラムを示す図である。
【図５８】実施例１１の評価１における評価サンプル５のクロマトグラムを示す図である。
【図５９】実施例１１の評価１における評価サンプル６のクロマトグラムを示す図である。
【図６０】実施例１１の評価２における評価サンプル３のクロマトグラムを示す図である。
【図６１】実施例１１の評価２における評価サンプル４のクロマトグラムを示す図である。
【図６２】実施例１１の評価２における評価サンプル５のクロマトグラムを示す図である。
【図６３】実施例１１の評価２における評価サンプル６のクロマトグラムを示す図である。
【図６４】実施例１１の評価２における評価サンプル８のクロマトグラムを示す図である。
【図６５】実施例１１の評価３における評価サンプル３のクロマトグラムを示す図である。
【図６６】実施例１１の評価４における評価サンプル２のクロマトグラムを示す図である。
【図６７】実施例１１の評価４における評価サンプル３のクロマトグラムを示す図である。
【図６８】実施例１１の評価４における評価サンプル６のクロマトグラムを示す図である。
【図６９】実施例１１の評価４における評価サンプル８のクロマトグラムを示す図である。
【図７０】実施例１２の評価１における評価サンプル１のクロマトグラムを示す図である。
【図７１】実施例１２の評価１における評価サンプル３のクロマトグラムを示す図である。
【図７２】実施例１２の評価１における評価サンプル６のクロマトグラムを示す図である。
【図７３】実施例１２の評価１における評価サンプル８のクロマトグラムを示す図である。
【図７４】実施例１３の評価１における評価サンプル３のクロマトグラムを示す図である。
【図７５】実施例１３の評価１における評価サンプル６のクロマトグラムを示す図である。
【図７６】実施例１３の評価１における評価サンプル８のクロマトグラムを示す図である。
【図７７】は実施例１４の評価１における評価サンプル２のクロマトグラムを示す図である。
【図７８】実施例１４の評価１における評価サンプル３のクロマトグラムを示す図である。
【図７９】実施例１４の評価１における評価サンプル４のクロマトグラムを示す図である。
【図８０】実施例１４の評価１における評価サンプル５のクロマトグラムを示す図である。
【図８１】実施例１４の評価１における評価サンプル６のクロマトグラムを示す図である。
【図８２】実施例１４の評価１における評価サンプル８のクロマトグラムを示す図である。
【図８３】実施例１５の評価１における評価サンプル１のクロマトグラムを示す図である。
【図８４】実施例１５の評価１にける評価サンプル２のクロマトグラムを示す図である。
【図８５】実施例１５の評価１における評価サンプル３のクロマトグラムを示す図である。
【図８６】実施例１５の評価１における評価サンプル４のクロマトグラムを示す図である。
【図８７】実施例１５の評価１における評価サンプル５のクロマトグラムを示す図である。
【図８８】実施例１５の評価１における評価サンプル６のクロマトグラムを示す図である。
【図８９】実施例１５の評価１における評価サンプル８のクロマトグラムを示す図である。
【図９０】実施例１５の評価１における評価サンプル９のクロマトグラムを示す図である。
【発明を実施するための最良の形態】
【００４０】
本発明のクロマトグラフィー用光学異性体分離剤（以下、「分離剤」ともいう）は、下記一般式（１）で表される化合物を担体に化学的結合により担持させてなる。【００４１】
【化９】
2009096540.tif 000010
【００４２】
前記Ｒは、炭素数２〜３０の不斉構造を有する有機基を表す。不斉構造は軸不斉構造のように基全体による構造であってもよいし、基中の不斉炭素による構造であってもよい。前記Ｒとしては、例えば下記一般式（２）、一般式（３）、一般式（４）、構造式（５）、又は構造式（６）で表される基が挙げられる。【００４３】
【化１０】
2009096540.tif 000011
【００４４】
前記Ｒ１環は独立して芳香族環、脂肪族環、又はなしを表す。芳香族環を表す基としては、Ｒ１環が結合するベンゼン環と合わせて２〜４のベンゼン環からなる縮合環を形成する基が挙げられ、例えば−Ｃ4Ｈ4−、−Ｃ8Ｈ6−、−Ｃ12Ｈ8−が挙げられ、脂肪族環を表す基としては、例えば炭素数４〜８のアルキレンであり、一部が不飽和となっていてもよい環状脂肪族化合物が挙げられ、Ｒ１環がない場合としては例えば水素原子が挙げられる。また前記Ｒ２は、独立して水素原子、炭素数１〜５の直鎖若しくは枝分かれのアルキル基、芳香族基、エステル基又はハロゲン原子を表す。【００４５】
前記Ｒ３は、独立して水素原子、炭素数１〜５の直鎖若しくは枝分かれのアルキル基、ニトロ基、エステル基、芳香族基又はハロゲン原子を表し、Ｒ４は独立して水素原子、炭素数１〜５の直鎖若しくは枝分かれのアルキル基、芳香族基、エステル基又はハロゲン原子を表す。【００４６】
前記Ｒ５は、独立して水素原子、炭素数１〜５の直鎖又は枝分かれのアルキル基、芳香族基又はエステル基を表す。【００４７】
前記エステル基としては、窒素原子、酸素原子、又は硫黄原子を含む有機酸と、炭素数１〜６のアルコールとが縮合して生成する構造を含む一価の基が挙げられ、例えばメトキシカルボニル基及びｔｅｒｔ−ブチルオキシカルボニル基が挙げられる。また前記芳香族基としては、炭素数６〜１４の芳香族環を含む一価の基が挙げられ、例えばフェニル基、ナフチル基、フェナントレニル基、及びビフェニル基が挙げられる。【００４８】
前記Ｒとしては、軸不斉構造に基づく適度な剛直性と柔軟性とを兼ね備えている観点から、下記構造式（７）で表される基が好ましい。一般式（７）で表される基の絶対配置は（Ｒ）でも（Ｓ）でも良い。更に一般式（７）で表される基は、軸構造の角度を調整し、不斉識別能力を調整する観点から、３，３’の位置に置換基を有していてもよい。【００４９】
【化１１】
2009096540.tif 000012
【００５０】
前記Ａｒ１は、独立して水素結合受容性を有する二価の基又は炭素数３〜１０の水素結合受容性を有していてもよい芳香族基を表す。水素結合受容性を有さないＡｒ１としては、例えばフェニレンのようなベンゼン環を含む二価の基が挙げられ、水素結合受容性を有するＡｒ１としては、水素結合受容性を発現する電気陰性度が比較的高い窒素、酸素、硫黄、リン、及びハロゲンを含む基が挙げられ、例えばケト基、ピリジン、ピリミジン、トリアジン、フラン、チオフェン、テトラヒドロピラン、チオピラン、及びキノリンのそれぞれの構造を含む二価の基が挙げられる。Ａｒ１における前述した原子等の水素結合受容部位は一つでもよいし二つ以上でもよく、同じでもよいし、異なっていてもよい。またＡｒ１はアミノ基や水酸基等の一以上の水素結合供与部位をさらに有していてもよい。【００５１】
Ａｒ１の大きさに応じて一般式（１）の環の大きさを変えることが可能であり、またＡｒ１の水素結合受容部位及び水素結合供与部位の位置や数に応じて、一般式（１）の環の水素結合性を変えることが可能であり、Ａｒ１の構造により分離性能の調整が期待される。Ａｒ１は、前述した原子等の水素結合受容部位が一般式（１）の環の内側に向けて配置されることが、前記環に包接された分離対象化合物と前記水素結合受容部位との間に水素結合を形成する観点から好ましく、前記水素結合受容部位となる原子、又は前記水素結合受容部位となる基が結合する炭素原子の隣の炭素原子が、一般式（１）のアミド基又はＺと結合することが好ましい。【００５２】
前記Ａｒ２は、炭素数３〜１４の、好ましくは炭素数３〜１０の芳香族基又は複素環基を表す。Ａｒ２はＡｒ１と同様の観点から、水素結合供与部位及び水素結合受容部位の一方又は両方を有していてもよい。例えばＡｒ２は、Ａｒ１と同様に、水素結合受容性を発現する電気陰性度が比較的高い窒素、酸素、硫黄、リン、及びハロゲンを含んでいてもよい。このようなＡｒ２としては、例えばベンゼン環、ナフタレン環、アントラセン環、ピリジン環、ピロール環、チオフェン環、フラン環を含む三価の基が挙げられる。【００５３】
前記Ａｒ１としては、下記構造式（８）で表される基が好ましく、前記Ａｒ２としては、下記構造式（９）で表される基が好ましい。【００５４】
【化１２】
2009096540.tif 000013
【００５５】
前記Ｚは、独立して単結合又は二価の基を表す。前記Ｚは、水素結合供与部位及び水素結合受容部位の一方又は両方を含んでいてもよい。また前記Ｚの直鎖部位を構成する原子数に応じて一般式（１）の環の大きさを変えることが可能であり、Ｚの構造により分離性能の調整が期待される。前記Ｚの直鎖部位を構成する原子数は、１〜８であることが好ましく、２〜６であることがより好ましい。なお、Ｚが含んでいてもよい水素結合供与部位としては、例えばアミノ基、アミド基、カルバメート基、水酸基、ピペリジン構造を有する基、ピロリジン構造を有する基、アジリジン構造を有する基、及びピロール構造を有する基が挙げられる。Ｚが含んでいてもよい水素結合受容部位としては、例えば前記Ａｒ１の水素結合受容部位が挙げられる。【００５６】
前記二価の基としては、例えば酸素、窒素、及び硫黄の少なくとも一つを含む二価の有機基が挙げられる。前記二価の基は、酸素や硫黄等のヘテロ原子そのものであってもよいし、二価の炭化水素基を含んでいてもよい。この二価の炭化水素基は、任意の水素原子がフッ素等のハロゲン原子に置き換えられていてもよい。このようなＺとしては、例えば下記構造式（１０）〜（１５）で表される基、及び下記構造式（１０）〜（１５）のアルキレン基の任意の水素がフッ素等のハロゲン原子に置き換えられた基が挙げられる。【００５７】
【化１３】
2009096540.tif 000014
【００５８】
前記Ｙは、担体と化学的に結合する基を表す。Ｙは、担体に直接結合する基であってもよいし、他の基を介して担体に結合する基であってもよい。Ｙは、担体に対して共有結合する基であることが、本発明の分離剤の耐久性の向上の観点から好ましい。Ｙは担体の種類に応じて決めることができる。例えば担体がシリカゲルである場合には、Ｙとしては、シラノール基と反応してシロキサン結合を形成する基が用いられ、例えば下記一般式（１６）〜（２０）で表される基が挙げられる。なお下記一般式（１６）〜（２０）中、ｎは１〜２０の整数を表す。また、Ｙの一部を予めシリカ等の担体に結合しておき、後からアミド結合等の化学的結合で、担体に結合するＹの一部とＡｒ２に結合するＹの一部とを結合してもよい。さらにＹは、一般式（１６）〜（２０）におけるエトキシが、メトキシ等の、炭素数が１〜４程度の低級アルコキシ基に独立して置き換えられた基であってもよい。さらにＹは、一般式（１６）〜（２０）における３つのアルコキシ基のうちの１つ又は２つが、メチル基等の、炭素数が１〜４程度の低級アルキル基に独立して置き換えられた基であってもよい。【００５９】
【化１４】
2009096540.tif 000015
【００６０】
また前記Ｙは、表面が修飾された担体のように、担体に結合しているアミノ基、メルカプト基、又はグリシジル基に結合する基であってもよい。このようなＹとしては、例えば、水酸基、及び、下記式（３１）〜（３８）で表わされる基が挙げられる。これらの式において、ｎは１〜２０の整数を表し、Ｘは塩素や臭素等のハロゲン原子を表す。【００６１】
【化１５】
2009096540.tif 000016
【００６２】
前記担体には、ＨＰＬＣで通常使用される担体を用いることができる。このような担体としては、例えば多孔質有機担体及び多孔質無機担体が挙げられる。多孔質有機担体としては、例えばポリスチレン、ポリアクリルアミド、及びポリアクリレートが挙げられ、多孔質無機担体としては、例えばシリカゲル、アルミナ、マグネシア、ガラス、カオリン、酸化チタン、ケイ酸塩、及びヒドロキシアパタイトが挙げられる。前記担体としては、シリカゲルが好ましい。【００６３】
本発明の分離剤における一般式（１）の化合物由来の成分の含有量は、この化合物による不斉識別性能を十分に発現させる観点から、分離剤全体に対して１〜９９質量％であることが好ましく、５〜５０質量％であることがより好ましい。前記含有量は、例えば元素分析やＩＲ等の通常の分析技術を利用して測定することができる。【００６４】
本発明の分離剤は、下記に示す合成経路で製造することができる。【００６５】
【化１６】
2009096540.tif 000017
【００６６】
すなわち本発明の分離剤は、一般式（ＩＩ）で表されるジアミン（ＩＩ）の２当量と一般式（Ｉ）で表される酸化合物（Ｉ）の１当量とを反応させて、一般式（ＩＩＩ）で表されるジアミン（ＩＩＩ）を得る工程と、
ジアミン（ＩＩＩ）と一般式（ＩＶ）で表される酸化合物（ＩＶ）とを同当量で反応させて、一般式（Ｖ）で表される環状アミド化合物（Ｖ）を得る工程と、
環状アミド化合物（Ｖ）のＹと担体とを、直接又は架橋基を介して反応させて、一般式（ＶＩ）で表されるクロマトグラフィー用光学異性体分離剤を得る工程とを含む、方法Ａによって製造することができる。【００６７】
又は本発明の分離剤は、ジアミン（ＩＩ）の２当量と酸化合物（ＩＶ）の１当量とを反応させてジアミン（ＶＩＩ）を得る工程と、
ジアミン（ＶＩＩ）と酸化合物（Ｉ）とを同当量で反応させて環状アミド化合物（Ｖ）を得る工程と、
環状アミド化合物（Ｖ）のＹと担体とを、直接又は架橋基を介して反応させて、一般式（ＶＩ）で表されるクロマトグラフィー用光学異性体分離剤を得る工程とを含む、方法Ｂによって製造することができる。【００６８】
前記一般式（Ｉ）〜（ＶＩＩ）中、Ａｒ１、Ａｒ２、Ｒ及びＹは、前述した本発明の分離剤における前記一般式（１）中のＡｒ１、Ａｒ２、Ｒ及びＹと同じである。【００６９】
前記一般式（ＶＩ）中、Ｙ’は、担体と化学的に結合している基を表し、前記一般式（Ｖ）のＹが担体と化学的に結合している基、又は前記一般式（Ｖ）のＹが前記架橋基を介して担体と化学的に結合している基を表す。【００７０】
本発明の方法Ａ及びＢでは、前記Ｙ及びＹ’として、水酸基、炭素数１〜４のアルコキシ基、カルボキシル基、メルカプト基、アミノ基、アミド基、エステル基又はアルデヒド基を含む基を好ましくは用いることができる。【００７１】
前記一般式（Ｉ）〜（ＶＩＩ）中、Ｚ’は、独立して単結合又は二価の基を表し、一般式（Ｖ）〜（ＶＩＩ）中の「−Ｚ’−ＣＯＮＨ−」が前記一般式（１）中のＺに相当する。このようなＺ’としては、例えば−Ｏ−、−Ｏ−ＣＨ2−、−ＣＨ2−、−Ｓ−ＣＨ2−、及びこれらの基に前記水素結合供与部位及び前記水素結合受容部位の一方又は両方を含む基が挙げられる。【００７２】
前記担体には、本発明の分離剤における担体をそのまま、又は表面修飾して用いることができる。表面修飾とは、適当な基を担体表面に化学的に結合させることを言う。例えば担体として好ましいシリカゲルでは、適当な基をシリカゲル表面のシラノール基に化学的に結合させることを言う。【００７３】
前記架橋基には、Ｙ及び担体の両方に結合する基が用いられる。架橋基は、架橋の強度や前記方法Ａ及びＢにおける取り扱いの容易さの観点から、炭素数が１〜２５程度の二価の基であることが好ましい。架橋基は、担体に結合した後にＹに結合する基であってもよいし、Ｙに予め結合した後に担体に結合する基であってもよいし、担体とＹの両方に同時に結合する基であってもよいが、担体と環状アミド化合物（Ｖ）とをより容易に結合させる観点から、担体に結合した後にＹに結合する基であること、すなわち担体シリカゲルが前記架橋基となる基で表面修飾されていること、が好ましい。【００７４】
このようなシリカゲルを表面修飾する架橋基となる基としては、例えば下記一般式（２１）〜（２５）で表される基が挙げられる。なお、一般式（２１）〜（２５）中、ｍ及びｎはそれぞれ１〜２０の整数を表す。【００７５】
【化１７】
2009096540.tif 000018
【００７６】
前記一般式（Ｉ）〜（ＶＩＩ）中、Ａｃはカルボキシル基又は−ＣＯＣｌを表す。酸化合物（Ｉ）及び（ＩＶ）とジアミンとの反応は、Ａｃがカルボキシル基である場合ではジシクロヘキシルカルボジイミド等の縮合剤を併用して行うことができ、Ａｃが酸クロリド（−ＣＯＣｌ）である場合にはそのまま用いて行うことができる。【００７７】
例えば、前記製造Ａ及びＢにおけるジアミン（ＩＩ）、（ＩＩＩ）、又は（ＶＩＩ）と酸クロリド（Ｉ）又は（ＩＶ）との反応は、酸クロリドとアミノ基とからアミド基を生成する通常の条件で行うことができる。この反応は、例えば−７８〜１１５℃、０．１〜５０時間の条件で行われる。また得られた生成物は、そのまま後段の反応に用いても良いが、再結晶やカラムクロマトグラフィー等の通常の精製技術によって精製することができ、このような精製によって得られる精製物を後段の反応に用いてもよい。【００７８】
また、Ｙと担体との結合の際における環状アミド化合物（Ｖ）の使用量は、得られる分離剤による光学異性体の分離に十分な量で担体に結合させる観点から、担体に対して５〜５００質量％であることが好ましく、１０〜１００質量％であることがより好ましい。【００７９】
さらに、Ｙと担体との結合の際における前記架橋基の使用量は、得られる分離剤による光学異性体の分離に十分な量の環状アミド化合物（Ｖ）を担体に結合させる観点から、担体に対して５〜５００質量％であることが好ましく、１０〜１００質量％であることがより好ましい。【００８０】
また前記製造Ａ及びＢにおける環状アミド化合物（Ｖ）と担体とを結合させる条件は、Ｙ、架橋剤、及び担体に応じて適宜決めることができる。例えば、担体がシリカゲルであり、架橋剤がトリアルコキシシラン系化合物である場合、担体と架橋剤との反応の条件としては、例えばトルエン、ベンゼン、テトラヒドロフラン等の非プロトン性溶剤中で、室温以上の加熱条件下、場合によっては促進剤としてアミン化合物を共存させ、また場合によっては副生するアルコールを除去しながら反応を行う、というような条件が挙げられる。【００８１】
また架橋剤とＹとの反応は、それぞれの構造に応じた条件で行うことができ、例えば炭素間二重結合へのチオール基の付加反応ではトルエン等の炭化水素溶剤中、ラジカル開始剤の存在下、１００℃以下の温度条件で行うことができ、酸とアミン等の脱水縮合反応では、ジシクロヘキシルカルボジイミド等の脱水縮合剤共存下、非プロトン性溶剤を用い、−７８℃〜１５０℃の範囲の条件で行うことができる。更に還元的アミノ化反応では、少量の酸の存在下、シアン化水素化ホウ素ナトリウムやボラン錯体を還元的に用い、非プロトン性溶剤を用い、−７８℃〜１５０℃の範囲の条件で行うことができる。グリシジル基を用いた反応でも、非プロトン性溶剤を用い、少量の三級アミン化合物などを促進剤に用いて−７８℃〜１５０℃の範囲の条件で行うことができる。【００８２】
Ｙと担体との直接の結合、又は架橋剤による架橋基を介したＹと担体との結合により得られた分離剤（ＶＩ）は、適当な溶剤で洗浄して分離剤に用いることができる。【００８３】
本発明の分離剤は、この分離剤と適当な溶剤とのスラリーをカラム管に供給して分離剤を充填する通常の方法によってカラム管に充填され、得られたカラムを用いる光学異性体の公知の分離及び製造技術に用いることができる。このような光学異性体の公知の分離、製造技術としては、例えば高速液体クロマトグラフィー、超臨界流体クロマトグラフィー、及び擬似移動床式クロマトグラフィーが挙げられる。超臨界流体クロマトグラフィーとしては、例えば超臨界流体と溶剤との混合流体を移動相に用い、かつカラムを通過した移動相から超臨界流体を回収、再利用することができる特開２００５−３２６１８０号公報で開示されている超臨界流体クロマトグラフィーが挙げられ、擬似移動床式クロマトグラフィーとしては、例えばカラムから排出された移動相から溶剤を回収、再利用することができる特開２００６−１３３１６０号公報で開示されている擬似移動床式クロマトグラフィーが挙げられる。【００８４】
本発明の分離剤は、不斉識別部位であるＲと、水素結合供与部位であるアミド基とを含む環構造が、この環構造が保たれた状態で担体に化学的に結合されてなり、クロマトグラフィーに用いたときに光学異性体を分離することができる。これは、分離対象の光学異性体の分布の粗密が形成されるクロマトグラフィーの条件下において、光学異性体を吸着し脱離する適度な親和性を前記環構造が有していることによると考えられる。【００８５】
また本発明の分離剤は、前記環構造が担体に化学的に結合されてなることから、光学異性体の分離能を有する前記環構造が担体上に独立して存在するので、前記環構造を担体上に高い密度で配置しても、それぞれの前記環構造の光学異性体の分離能が保たれ、前記環構造の量に応じた光学異性体の分離能の発揮が期待される。【００８６】
また本発明の分離剤は、前記環構造を構成するＡｒ１、Ａｒ２、及びＺの構造や大きさによって、前記環構造の大きさ及び前記環構造中における水素結合供与部位や水素結合受容部位の位置を調整することが可能であり、分離対象の光学異性体に応じた環構造の設計により、特定の光学異性体に対して高い分離能を有する分離剤の形成が期待される。【００８７】
また本発明の分離剤は、Ｙを介して前記環構造と担体とが結合することから、前記環構造の光学異性体の分離能を十分に保ったまま前記環構造を担体と結合させることができる。
【実施例】
【００８８】
本発明を実施例によって詳細に説明するが、本発明はこれら実施例に限定されるものではない。なお、以下の実施例において、三つのシラノール基によってキラル固定相がシリカゲルと結合している形態、及びキラル固定相が単結合でシリカゲルと結合している形態を表示するが、これは、実施例のキラル固定相が１〜３のシラノール基を介してシリカゲルと結合していることを表している。【００８９】
［実施例１］キラル固定相ＣＳＰ−１の調製
以下に示す合成経路でキラル固定相ＣＳＰ−１を調製した。【００９０】
【化１８】
2009096540.tif 000019
【００９１】
［N,N'-Bis(6-amino-2-pyridinyl)-5-benzyloxy-1,3-benzenedicarboxamide （化合物２）の合成］
F. Diederich, G. Schurmann, I. Chao, Designed water-soluble macrocyclic esterases: from nonproductive to productive binding. J. Org. Chem., 53(12), 2744-2757 (1988)に従って、５−ベンジルオキシイソフタル酸を合成した。【００９２】
M. Berger, F. P. Schmidtchen, Zwitterionic guanidinium compounds serve as electroneutral anion hosts. J. Am. Chem. Soc., 121(43), 9986-9993 (1999)に従って、塩化チオニル（４５ｍＬ）に５−ベンジルオキシイソフタル酸（２．７２ｇ、９．９９ｍｍｏｌ）とトリフェニルホスフィン（２９ｍｇ、０．１１ｍｍｏｌ）を加え、４０分間加熱還流した。蒸留により過剰の塩化チオニルを除くことにより、５−ベンジルオキシイソフタル酸の酸クロリド（２．９２ｇ、収率９５％）を白色固体として得た。【００９３】
２，６−ジアミノピリジン（１０．３ｇ、９４．０ｍｍｏｌ）とトリエチルアミン（２．６ｍＬ、１９ｍｍｏｌ）の乾燥テトラヒドロフラン溶液（２３６ｍＬ）に、５−ベンジルオキシイソフタル酸の酸クロリド（２．９１ｇ、９．４０ｍｍｏｌ）の乾燥テトラヒドロフラン溶液（９４ｍＬ）を室温、窒素雰囲気下で１時間かけて滴下した。得られた混合液を５時間半攪拌し、前記混合液から溶媒を減圧留去した。【００９４】
過剰の２，６−ジアミノピリジンとトリエチルアミン塩酸塩を取り除くために残渣を水（１Ｌ）で洗って濾過し、再度水（１Ｌ）で洗い、固体の生成物を得た。生成物はシリカゲルカラムクロマトグラフィー（ヘキサン／テトラヒドロフラン（ヘキサン：テトラヒドロフラン（体積比）＝１：２））で精製した。得られた精製物をテトラヒドロフラン／ヘキサンから再結晶することにより、化合物２（３．８３ｇ、収率９０％（２段階の収率８６％））を淡褐色結晶として得た。得られた化合物２のスペクトルデータを以下に示す。【００９５】
スペクトルデータ
ｍｐ  180℃
1Ｈ  ＮＭＲ（ｄ6−ａｃｅｔｏｎｅ、６００ＭＨｚ）  5.32 (s, 2H), 5.34 (br s, 4H), 6.34 (dd, J = 0.8, 7.9 Hz, 2H), 7.34 (tt, J = 1.6, 7.4 Hz, 1H), 7.42 (t, J = 7.4 Hz, 2H), 7.45 (t, J = 7.9 Hz, 2H), 7.54-7.56 (m, 2H), 7.60 (dd, J = 0.8, 7.9 Hz, 2H), 7.84 (d, J = 1.7 Hz, 2H), 8.29 (t, J = 1.7 Hz, 1H), 9.36 (s, 2H)
13Ｃ  ＮＭＲ（ｄ6−ａｃｅｔｏｎｅ、１５０ＭＨｚ）  70.9, 103.0, 104.9, 118.3, 119.3, 128.5, 128.8, 129.3, 137.4, 137.8, 140.0, 151.4, 159.4, 160.1, 165.2
ＩＲ（ＫＢｒ）  3364, 3213, 3063, 1678, 1620, 1543, 1458, 1300, 1246, 1130, 1045, 791 cm-1
ＨＲＭＳ（ＥＳＩ−ＩＴ−ＴＯＦ、ＭｅＣＮ）  calcd for C25H23N6O3  455.1826、found  455.1830 (M + H)【００９６】
［Chiral Macrocycle（Ｒ）−４（化合物（Ｒ）−４）の合成］
T. Ema, D. Tanida, T. Sakai, Versatile and practical chiral shift reagent with hydrogen-bond donor/acceptor sites in a macrocyclic cavity. Org. Lett., 8(17), 3773-3775 (2006)に従って、酸クロリド（Ｒ）−３を合成した。酸クロリド（Ｒ）−３（７８５ｍｇ、１．７９ｍｍｏｌ）の乾燥テトラヒドロフラン溶液（１８０ｍＬ）と化合物２（６５４ｍｇ、１．４４ｍｍｏｌ）ならびにトリエチルアミン（０．４ｍＬ、２．９ｍｍｏｌ）の乾燥テトラヒドロフラン溶液（１８０ｍＬ）を乾燥テトラヒドロフラン（１２０ｍＬ）に室温下でそれぞれ同じ速度で３時間半かけて滴下した。得られた混合液をさらに１０時間攪拌し、前記混合液からエバポレーターによって揮発性物質を取り除いた。得られた固体残渣を塩化メチレンに溶かし、この溶液を飽和重曹水（４０ｍＬ）で洗浄し、硫酸ナトリウムで乾燥後、減圧濃縮し、固体の生成物を得た。生成物はシリカゲルカラムクロマトグラフィー（塩化メチレン／テトラヒドロフラン（塩化メチレン：テトラヒドロフラン（体積比）＝２０：１））で精製した。得られた精製物を塩化メチレンから再結晶することにより、化合物（Ｒ）−４（７５３ｍｇ、収率６４％）を白色結晶として得た。得られた化合物（Ｒ）−４のスペクトルデータを以下に示す。【００９７】
スペクトルデータ
ｍｐ  206℃
［α］30D  +220 (c 1.00, CHCl3)
1Ｈ  ＮＭＲ（ＣＤＣｌ3、６００ＭＨｚ）  4.27 (d, J = 15.9 Hz, 2H), 4.51 (d, J = 15.9 Hz, 2H), 5.20 (s, 2H), 7.29 (d, J = 8.1 Hz, 2H), 7.33-7.49 (m, 11H), 7.78 (t, J = 8.3 Hz, 2H), 7.909-7.911 (m, 3H), 7.93 (d, J = 8.1 Hz, 2H), 7.96 (d, J = 8.3 Hz, 2H), 8.04 (d, J = 8.4 Hz, 2H), 8.15 (d, J = 8.3 Hz, 2H), 8.70 (s, 2H), 8.86 (s, 2H)
13Ｃ  ＮＭＲ（ＣＤＣｌ3、１５０ＭＨｚ）  70.5, 73.0, 109.9, 110.2, 115.1, 119.0, 119.2, 123.0, 125.2, 125.6, 127.3, 127.5, 128.3, 128.4, 128.7, 130.9, 131.1, 133.4, 135.2, 135.8, 141.3, 148.5, 149.5, 154.1, 160.3, 163.3, 167.4
ＩＲ（ＫＢｒ）  3387, 3055, 1697, 1589, 1512, 1450, 1312, 1242, 1211, 1150, 1049, 802 cm-1
ＨＲＭＳ（ＥＳＩ−ＩＴ−ＴＯＦ、ＭｅＣＮ）  calcd for C49H36N6O7Na  843.2538、found  843.2550 (M + Na)【００９８】
［Chiral Macrocycle（Ｒ）−５（化合物（Ｒ）−５）の合成］
化合物（Ｒ）−４（９１０ｍｇ、１．１１ｍｍｏｌ）の乾燥テトラヒドロフラン溶液  （４２ｍＬ）に１０％パラジウム炭素（２０３ｍｇ）を加え、室温、水素雰囲気下で２２時間攪拌した。反応混合物をセライトで濾過し、得られた濾液から溶媒を留去し、固体の生成物を得た。得られた生成物をアセトンから再結晶することにより、化合物（Ｒ）−５（６８７ｍｇ、収率８５％）を白色固体として得た。得られた化合物（Ｒ）−５のスペクトルデータを以下に示す。【００９９】
スペクトルデータ
ｍｐ  233℃ (dec)
［α］29D  +262 (c 1.01、テトラヒドロフラン)
1Ｈ  ＮＭＲ（ｄ6−ａｃｅｔｏｎｅ、６００ＭＨｚ、４０℃）  4.40 (d, J = 15.6 Hz, 2H), 4.80 (d, J = 15.6 Hz, 2H), 7.44-7.51 (m, 6H), 7.72 (d, J = 1.8 Hz, 2H), 7.76 (d, J = 9.0 Hz, 2H), 7.80 (d, J = 8.0 Hz, 2H), 7.83 (t, J = 8.0 Hz, 2H), 8.02 (d, J = 7.5 Hz, 2H), 8.14 (dd, J = 1.2, 8.0 Hz, 2H), 8.17 (d, J = 9.0 Hz, 2H), 8.45 (s, 1H), 8.62 (s, 2H), 9.09 (s, 1H), 9.65 (s, 2H)
13Ｃ  ＮＭＲ（ｄ6−ａｃｅｔｏｎｅ、１５０ＭＨｚ）  73.5, 109.6, 110.0, 117.5, 119.7, 120.0, 123.2, 126.1, 126.4, 127.8, 129.2, 131.6, 131.8, 134.5, 136.4, 141.7, 149.9, 151.5, 155.3, 159.4, 164.9, 167.8
ＩＲ（ＫＢｒ）  3379, 3063, 1697, 1589, 1528, 1450, 1319, 1242, 1211, 1157, 1065, 802 cm-1
ＨＲＭＳ（ＥＳＩ−ＩＴ−ＴＯＦ、ＭｅＣＮ）  calcd for C42H30N6O7Na  753.2068、found  753.2065 (M + Na)【０１００】
［Chiral Macrocycle （Ｒ）−６（化合物（Ｒ）−６）の合成］
化合物（Ｒ）−５（６９８ｍｇ、０．９５５ｍｍｏｌ）とブロモ酢酸ｔ−ブチルエステル（０．１７ｍＬ、１．２ｍｍｏｌ）ならびに炭酸カリウム（１４７ｍｇ、１．０６ｍｍｏｌ）を入れた乾燥ジメチルホルムアミド混合溶液（３．３ｍＬ）を窒素雰囲気下、８０℃で１７時間半攪拌した。得られた反応混合物を濾過し、得られた濾液から溶媒を留去し、固体の生成物を得た。得られた生成物をシリカゲルカラムクロマトグラフィー（塩化メチレン／テトラヒドロフラン（塩化メチレン：テトラヒドロフラン（体積比）＝３０：１））で精製することにより、化合物（Ｒ）−６（５７８ｍｇ、収率７２％）を白色固体として得た。得られた化合物（Ｒ）−６のスペクトルデータを以下に示す。【０１０１】
スペクトルデータ
ｍｐ  244℃ (dec)
［α］25D  +211 (c 1.01、CHCl3)
1Ｈ  ＮＭＲ（ＣＤＣｌ3、６００ＭＨｚ）  1.50 (s, 9H), 4.28 (d, J = 16.2 Hz, 2H), 4.52 (d, J = 16.2 Hz, 2H), 4.66 (s, 2H), 7.29 (d, J = 8.1 Hz, 2H), 7.38 (dt, J = 1.3, 8.1 Hz, 2H), 7.44 (d, J = 9.3 Hz, 2H), 7.47 (dt, J = 1.3, 8.1 Hz, 2H), 7.79 (t, J = 7.8 Hz, 2H), 7.82 (s, 2H), 7.90 (br s, 1H), 7.93 (d, J = 8.1 Hz, 2H), 7.96 (d, J = 7.8 Hz, 2H), 8.02 (d, J = 9.3 Hz, 2H), 8.14 (d, J = 7.8 Hz, 2H), 8.76 (s, 2H)
13Ｃ  ＮＭＲ（ＣＤＣｌ3、１５０ＭＨｚ）  28.0, 65.7, 72.9, 82.9, 109.9, 110.2, 115.8, 118.7, 119.1, 122.9, 125.2, 125.5, 127.2, 128.4, 130.9, 131.0, 133.4, 135.2, 141.3, 148.4, 149.4, 154.1, 159.5, 163.0, 167.2, 167.4
ＩＲ（ＫＢｒ）  3391, 3059, 1686, 1585, 1520, 1454, 1315, 1242, 1157, 1080, 802 cm-1
ＨＲＭＳ（ＥＳＩ−ＩＴ−ＴＯＦ、ＭｅＣＮ）  calcd for C48H40N6O9Na  867.2749、found  867.2741 (M + Na)【０１０２】
［Chiral Stationary Phase（ＣＳＰ−１）の調製］.
化合物（Ｒ）−６（１．０４ｇ、１．２３ｍｍｏｌ）をトリフルオロ酢酸（１．９ｍＬ、２５ｍｍｏｌ）と乾燥塩化メチレン（０．６ｍＬ）の混合溶液に溶かして室温、窒素雰囲気下で１８時間攪拌した。得られた反応液から溶媒を留去後、真空乾燥して、化合物（Ｒ）−６のｔ−ブチル基が水素に置き換わった化合物（Ｒ）−６のカルボン酸を得た。１１０℃で４時間半真空乾燥した後に窒素下で放冷しておいたアミノプロピルシリカゲル（４．１１ｇ）へ、化合物（Ｒ）−６のカルボン酸（１．５６ｇ、１．９７ｍｍｏｌ）を溶かした乾燥ジメチルホルムアミド（１２ｍＬ）と乾燥テトラヒドロフラン（５．４ｍＬ）の混合溶液、１，３−ジシクロヘキシルカルボジイミド（ＤＣＣ、６２１ｍｇ、３．０１ｍｍｏｌ）  ならびに１−ヒドロキシベンゾトリアゾール（ＨＯＢＴ、４１１ｍｇ、３．０４ｍｍｏｌ）を加えた。得られたスラリーをメカニカルスターラーで室温下４８時間攪拌後、ＤＣＣ（６１９ｍｇ、３．００ｍｍｏｌ）、ＨＯＢＴ（４１１ｍｇ、３．０４ｍｍｏｌ）、酢酸（０．３５ｍＬ、６．１ｍｍｏｌ）を前記スラリーに加えてさらに４８時間攪拌した。得られたスラリーを濾過して得られるシリカゲルをテトラヒドロフラン、ジメチルホルムアミド、エタノール、熱エタノールの順序で洗浄し、真空乾燥することにより、ＣＳＰ−１を白色粉末として得た。【０１０３】
なおアミノプロピルシリカゲルには、Ｗａｋｏｓｉｌ ５ＮＨ２（和光純薬工業株式会社）を用いた。【０１０４】
［実施例２］キラル固定相ＣＳＰ−２の調製
以下に示す合成経路でキラル固定相ＣＳＰ−２を調製した。【０１０５】
【化１９】
2009096540.tif 000020
【０１０６】
［N,N'-Bis(6-amino-2-pyridinyl)-5-tert-butyloxycarbonyl-1,3-benzenedicarboxamide（化合物７）の合成］
H. M. P. Chen, D. Katsis, S. H. Chen, Deterministic synthesis and optical properties of glassy chiral-nematic liquid crystals. Chem. Mater., 15(13), 2534-2542 (2003)に従って、５−ｔｅｒｔ−ブチルオキシカルボニルイソフタル酸を合成した。５−ｔｅｒｔ−ブチルオキシカルボニルイソフタル酸（１．６０ｇ、６．０１ｍｍｏｌ）の乾燥塩化メチレンの懸濁液（６０ｍＬ）に塩化オキサリル（２．０ｍＬ、２３ｍｍｏｌ）、ジメチルホルムアミド（１滴）を加えて室温下５時間攪拌した。得られた混合液からエバポレーターによって揮発性物質を取り除き、得られた固体を３時間真空乾燥した。得られた５−ｔｅｒｔ−ブチルオキシカルボニルイソフタル酸の酸クロリドはこれ以上精製せずに使用した。【０１０７】
２，６−ジアミノピリジン（６．５５ｇ、６０．１ｍｍｏｌ）、トリエチルアミン（１．６５ｍＬ、１１．９ｍｍｏｌ）の乾燥テトラヒドロフラン溶液（１５０ｍＬ）に５−ｔｅｒｔ−ブチルオキシカルボニルイソフタル酸の酸クロリド（１．８２ｇ、６．０１ｍｍｏｌ）の乾燥テトラヒドロフラン溶液（６０ｍＬ）を室温、窒素雰囲気下で１時間かけて滴下した。得られた混合液を１０時間半攪拌し、前記混合液から溶媒を減圧留去した。過剰の２，６−ジアミノピリジンとトリエチルアミン塩酸塩を取り除くために残渣を水（１．５Ｌ）で洗って濾過し、再度水（１．５Ｌ）で洗い、固体の生成物を得た。生成物はシリカゲルカラムクロマトグラフィー（ヘキサン／テトラヒドロフラン（ヘキサン：テトラヒドロフラン（体積比）＝１：２））で精製した。得られた精製物をテトラヒドロフラン／ヘキサンから再結晶することにより、化合物７（１．５５ｇ、収率５７％）を淡褐色結晶として得た。得られた化合物７のスペクトルデータを以下に示す。【０１０８】
スペクトルデータ
ｍｐ  138℃ (dec)
1Ｈ  ＮＭＲ（ｄ6−ａｃｅｔｏｎｅ、６００ＭＨｚ）  1.64 (s, 9H), 5.35 (br s, 4H), 6.35 (dd, J = 0.9, 7.9 Hz, 2H), 7.47 (t, J = 7.9 Hz, 2H), 7.61 (d, J = 7.9 Hz, 2H), 8.71 (d, J = 1.5 Hz, 2H), 8.87 (t, J = 1.5 Hz, 1H), 9.56 (s, 2H)
13Ｃ  ＮＭＲ（ｄ6−ａｃｅｔｏｎｅ、１５０ＭＨｚ）  28.2, 82.4, 103.0, 105.0, 130.7, 132.4, 133.8, 136.4, 140.0, 151.4, 159.5, 164.8, 164.9
ＩＲ（ＫＢｒ）  3460, 3352, 3213, 3074, 1717, 1628, 1547, 1458, 1296, 1250, 1165, 795 cm-1
ＨＲＭＳ（ＥＳＩ−ＩＴ−ＴＯＦ、ＭｅＣＮ）  calcd for C23H25N6O4  449.1932、found  449.1922 (M + H)【０１０９】
［Chiral Macrocycle （Ｒ）−８（化合物（Ｒ）−８）の合成］.
酸クロリド（Ｒ）−３（７８５ｍｇ、１．７９ｍｍｏｌ）の乾燥テトラヒドロフラン溶液（１８０ｍＬ）と化合物７（６４７ｍｇ、１．４４ｍｍｏｌ）ならびにトリエチルアミン（０．４５ｍＬ、３．２４ｍｍｏｌ）の乾燥テトラヒドロフラン溶液（１８０ｍＬ）を乾燥テトラヒドロフラン（１２０ｍＬ）に室温下でそれぞれ同じ速度で４時間半かけて滴下した。得られた混合液をさらに１１時間攪拌し、前記混合液からエバポレーターによって揮発性物質を取り除いた。得られた固体残渣を塩化メチレンに溶解して、得られた溶液を飽和食塩水（４０ｍＬ）で洗浄し、硫酸ナトリウムで乾燥後、減圧濃縮し、固体の生成物を得た。得られた生成物をシリカゲルカラムクロマトグラフィー（塩化メチレン／テトラヒドロフラン（塩化メチレン：テトラヒドロフラン（体積比）＝３０：１））で精製することにより、化合物（Ｒ）−８（８６４ｍｇ、収率７４％）を白色固体として得た。得られた化合物８のスペクトルデータを以下に示す。【０１１０】
スペクトルデータ
ｍｐ  266℃ (dec)
［α］22D  +182 (c 1.02、CHCl3)
1Ｈ  ＮＭＲ  （ＣＤＣｌ3、６００ＭＨｚ）  1.63 (s, 9H), 4.28 (d, J = 16.2 Hz, 2H), 4.53 (d, J = 16.2 Hz, 2H), 7.29 (d, J = 8.0 Hz, 2H), 7.39 (dt, J = 1.1, 8.0 Hz, 2H), 7.43 (d, J = 9.0 Hz, 2H), 7.47 (dt, J = 1.1, 8.0 Hz, 2H), 7.78 (t, J = 8.0 Hz, 2H), 7.91-7.93 (m, 4H), 7.99 (d, J = 9.0 Hz, 2H), 8.15 (d, J = 8.0 Hz, 2H), 8.41 (s, 1H), 8.72 (s, 2H), 8.87 (d, J = 1.2 Hz, 2H)
13Ｃ  ＮＭＲ  （ＣＤＣｌ3、１５０ＭＨｚ）  28.1, 72.7, 82.4, 110.0, 110.4, 118.9, 122.8, 125.1, 125.6, 126.7, 127.3, 128.4, 130.8, 131.0, 133.3, 133.4, 133.9, 134.5, 141.1, 148.2, 149.4, 153.9, 163.0, 163.7, 167.4
ＩＲ（ＫＢｒ）  3395, 3055, 1701, 1585, 1508, 1454, 1292, 1246, 1157, 1080, 802, cm-1
ＨＲＭＳ（ＥＳＩ−ＩＴ−ＴＯＦ、ＭｅＣＮ）  calcd for C47H38N6O8Na  837.2643、found  837.2605 (M + Na)【０１１１】
［Chiral Stationary Phase（ＣＳＰ−２）の調製］
化合物（Ｒ）−８（５４２ｍｇ、０．６６５ｍｍｏｌ）をトリフルオロ酢酸（１．１  ｍＬ、１４ｍｍｏｌ）と乾燥塩化メチレン（０．５ｍＬ）の混合溶液に溶かして室温、窒素雰囲気下で４時間半攪拌した。得られた混合液から溶媒を留去後、得られた固体の生成物を真空乾燥して、化合物（Ｒ）−８のｔ−ブチル基が水素に置き換わった化合物（Ｒ）−８のカルボン酸を得た。１５０℃で４時間真空乾燥した後に窒素下で放冷しておいたアミノプロピルシリカゲル（２．９９ｇ）へ、化合物（Ｒ）−８のカルボン酸（１．１１ｇ、１．４６ｍｍｏｌ）を溶かした乾燥ジメチルホルムアミド（３．５ｍＬ）と乾燥テトラヒドロフラン（９．５ｍＬ）の混合溶液、ＤＣＣ（４５９ｍｇ、２．２３ｍｍｏｌ）ならびにＨＯＢＴ（３０１ｍｇ、２．２３ｍｍｏｌ）を加えた。得られたスラリーをメカニカルスターラーで室温下４８時間攪拌した後、ＤＣＣ（４６３ｍｇ、２．２５ｍｍｏｌ）、ＨＯＢＴ（３０２ｍｇ、２．２３ｍｍｏｌ）、酢酸（０．２３ｍＬ、４．０ｍｍｏｌ）を前記スラリーに加えてさらに２４時間攪拌した。得られたスラリーを濾過して得られるシリカゲルをテトラヒドロフラン、エタノール、熱エタノールの順序で洗浄し、真空乾燥することにより、ＣＳＰ−２を白色粉末として得た。【０１１２】
［実施例３］
［ＣＳＰ−１を用いたＨＰＬＣ用カラムの作製］
ＣＳＰ−１（３．５ｇ）をメタノールに分散し、得られたスラリーを用いて、φ０．４６ｃｍ×２５ｃｍＬのステンレス製カラムにスラリー方式のカラム充填を行い、ＣＳＰ−１が充填されてなるカラムを作製した。【０１１３】
得られたカラムを用いて、四種の評価条件によってＣＳＰ−１の不斉識別能力の評価を行った。評価用のサンプルには以下に示す化合物１〜９のラセミ体を用いた。以下のキラル固定相の不斉識別能力の評価について、評価条件ごとに説明する。なお、以下の評価結果における保持係数（ｋ’）、分離係数（α）はそれぞれ下式で定義される。下記式において、デッドタイムはトリターシャリブチルベンゼンの溶出時間である。
保持係数；
ｋ’＝［（対掌体の保持時間）−（デッドタイム）］／デッドタイム）
分離係数；
α＝（より強く保持される対掌体の保持係数）／（より弱く保持される対掌体の保持係数）【０１１４】
【化２０】
2009096540.tif 000021
【０１１５】
［評価（１）］
下記条件でＨＰＬＣにて７種のサンプル（化合物番号：１、２、３、４、５、６、７）用いて不斉識別能力の評価を実施した。評価結果を表１に示す。また各評価サンプルのそれぞれのクロマトグラムを図１〜７に示す。なお、表中、ｔ０はデッドタイム（ｍｉｎ）、ｔ１はより弱く保持される対掌体の溶出時間（ｍｉｎ）ｔ２はより強く保持される対掌体の溶出時間（ｍｉｎ）、ｋ１’はより弱く保持される対掌体の保持係数、ｋ２’はより強く保持される対掌体の保持係数を表す。
（評価条件１）
移動相：ヘキサン／２−プロパノール＝９／１（ｖ／ｖ）
流速：１．０ｍＬ／ｍｉｎ．
温度：２５℃
検出：ＵＶ２５４ｎｍ（サンプル５のみ２２５ｎｍ）【０１１６】
【表１】
2009096540.tif 000022
【０１１７】
［評価（２）］
下記条件でＨＰＬＣにて７種の評価サンプル（化合物番号：１、２、３、４、５、６、８）を用いて不斉識別能力の評価を実施した。評価結果を下記表２に示す。また各評価サンプルのそれぞれのクロマトグラムを図８〜１４に示す。
（評価条件２）
移動相：ヘキサン／クロロホルム混合溶液（組成比率（ｖ／ｖ）は表２中に記載）
流速：１．０ｍＬ／ｍｉｎ．
温度：２５℃
検出：ＵＶ２５４ｎｍ（サンプル５のみ２２５ｎｍ）【０１１８】
【表２】
2009096540.tif 000023
【０１１９】
［評価（３）］
下記条件でＨＰＬＣにて２種の評価サンプル（化合物番号：３、８）を用いて不斉識別能力の評価を実施した。評価結果を表３に示す。また各評価サンプルのそれぞれのクロマトグラムを図１５及び１６に示す。
（評価条件３）
移動相：メタノール
流速：１．０ｍＬ／ｍｉｎ．
温度：２５℃
検出：ＵＶ２５４ｎｍ【０１２０】
【表３】
2009096540.tif 000024
【０１２１】
［評価（４）］
下記条件でＨＰＬＣにて５種の評価サンプル（化合物番号：２、３、６、８、９）を用いて不斉識別能力の評価を実施した。評価結果を表４に示す。また各評価サンプルのそれぞれのクロマトグラムを図１７〜２１に示す。
（評価条件４）
移動相：アセトニトリル
流速：１．０ｍＬ／ｍｉｎ．
温度：２５℃
検出：ＵＶ２５４ｎｍ【０１２２】
【表４】
2009096540.tif 000025
【０１２３】
［実施例４］
［ＣＳＰ−２を用いたＨＰＬＣ用カラムの作製］
ＣＳＰ−２（３．５ｇ）をメタノールに分散し、得られたスラリーを用いて、φ０．４６ｃｍ×２５ｃｍＬのステンレス製カラムにスラリー方式のカラム充填を行い、ＣＳＰ−２が充填されてなるカラムを作製した。【０１２４】
得られたカラムを用いて、四種の評価条件によってＣＳＰ−２の不斉識別能力の評価を行った。評価用のサンプルには前記の化合物１〜９のラセミ体を用いた。以下のキラル固定相の不斉識別能力の評価について、評価条件ごとに説明する。【０１２５】
［評価（１）］
下記条件でＨＰＬＣにて９種の評価サンプル（化合物番号：１、２、３、４、５、６、７、８、９）用いて不斉識別能力の評価を実施した。評価結果を表５に示す。また各評価サンプルのそれぞれのクロマトグラムを図２２〜３０に示す。
（評価条件１）
移動相：ヘキサン／２−プロパノール＝９／１（ｖ／ｖ）
流速：１．０ｍＬ／ｍｉｎ．
温度：２５℃
検出：ＵＶ２５４ｎｍ（サンプル５のみ２２５ｎｍ）【０１２６】
【表５】
2009096540.tif 000026
【０１２７】
［評価（２）］
下記条件でＨＰＬＣにて８種の評価サンプル（化合物番号：２、３、４、５、６、７、８、９）を用いて不斉識別能力の評価を実施した。評価結果を表６に示す。また各評価サンプルのそれぞれのクロマトグラムを図３１〜３８に示す。
（評価条件２）
移動相：ヘキサン／クロロホルム混合溶液（組成比率（ｖ／ｖ）は表中に記載）
流速：１．０ｍＬ／ｍｉｎ．
温度：２５℃
検出：ＵＶ２５４ｎｍ（サンプル５のみ２２５ｎｍ）【０１２８】
【表６】
2009096540.tif 000027
【０１２９】
［評価（３）］
下記条件でＨＰＬＣにて４種の評価サンプル（化合物番号：３、４、６、８）を用いて不斉識別能力の評価を実施した。評価結果を表７に示す。また各評価サンプルのそれぞれのクロマトグラムを図３９〜４２に示す。
（評価条件３）
移動相：メタノール
流速：１．０ｍＬ／ｍｉｎ．
温度：２５℃
検出：ＵＶ２５４ｎｍ【０１３０】
【表７】
2009096540.tif 000028
【０１３１】
［評価（４）］
下記条件でＨＰＬＣにて５種の評価サンプル（化合物番号：２、３、５、６、８）を用いて不斉識別能力の評価を実施した。評価結果を表８に示す。また各評価サンプルのそれぞれのクロマトグラムを図４３〜４７に示す。
（評価条件４）
移動相：アセトニトリル
流速：１．０ｍＬ／ｍｉｎ．
温度：２５℃
検出：ＵＶ２５４ｎｍ（サンプル５のみ２２５ｎｍ）【０１３２】
【表８】
2009096540.tif 000029
【０１３３】
[実施例５]
[超臨界流体クロマトグラフィー（ＳＦＣ）による光学異性体の分離]
実施例３により得られたカラムを用いて、以下の超臨界もしくは亜臨界評価条件下、ＣＳＰ−１の不斉識別能力の評価を行った。評価用サンプルには、先述の化合物３及び６を用いた。以下の評価結果における保持係数（ｋ’）、分離係数（α）はそれぞれ先述と同じく定義づけられる。デッドタイムも先述と同じくトリターシャリブチルベンゼンの溶出時間である。【０１３４】
［評価（１）］
下記４条件でＳＦＣにて２種サンプル（化合物番号：３、６）を用いて不斉識別能力の評価を実施した。サンプル３の評価結果を表９に、サンプル６の評価結果を表１０に示す。また各評価サンプル、条件でのクロマトグラムを図４８〜図５５に示す。なお、表中、ｔ０はデッドタイム(ｍｉｎ.)、ｔ１はより弱く保持される対掌体の溶出時間(ｍｉｎ.)、ｔ２はより強く保持される対掌体の溶出時間(ｍｉｎ.)、ｋ１'はより弱く保持される対掌体の保持係数、ｋ２'はより強く保持される対掌体の保持係数を表す。また下記表中、ＣＯ2は二酸化炭素、ＩＰＡは２-プロパノール、ＭｅＣＮはアセトニトリル、ＥｔＯＨはエタノールを表す。【０１３５】
（サンプル３の評価条件）
移動相の流速  ：２．５ｍＬ／ｍｉｎ．
温度   ：２５℃
検出   ：ＵＶ２２０ｎｍ
背圧   ：１０ＭＰａ
（サンプル６の評価条件）
移動相の流速  ：２．５ｍＬ/ｍｉｎ.
温度   ：２５℃
検出   ：ＵＶ２２０ｎｍ
背圧   ：１０ＭＰａ【０１３６】
【表９】
2009096540.tif 000030
【０１３７】
【表１０】
2009096540.tif 000031
【０１３８】
［実施例６］キラル固定相ＣＳＰ−３の調製
以下に示す合成経路でキラル固定相ＣＳＰ−３を調製した。【０１３９】
【化２１】
2009096540.tif 000032
【０１４０】
［Chiral Macrocycle （Ｒ）−１０（化合物（Ｒ）−１０）の合成］
T. Ema, D. Tanida, K. Hamada, T. Sakai, Tuning the chiral cavity of macrocyclic receptor for chiral recognition and discrimination. J. Org. Chem., 73(22), 9129-9132 (2008) に従って、酸クロリド（Ｒ）−９を合成した。酸クロリド（Ｒ）−９（５９４ｍｇ、１．１３ｍｍｏｌ）の乾燥テトラヒドロフラン溶液（１２０ｍＬ）と化合物７（４０８ｍｇ、０．１９０ｍｍｏｌ）ならびにトリエチルアミン（０．２６ｍＬ、１．９ｍｍｏｌ）の乾燥テトラヒドロフラン溶液（１２０ｍＬ）とを、乾燥テトラヒドロフラン（７０ｍＬ）に室温下でそれぞれ同じ速度で３時間半かけて滴下した。得られた混合物をさらに１２時間攪拌し、前記混合物からエバポレーターによって揮発性物質を取り除いた。得られた固体残渣を塩化メチレンに溶解し、この溶液を飽和重曹水（４０ｍＬ）で洗浄し、硫酸ナトリウムで乾燥後、減圧濃縮し、固体の生成物を得た。得られた生成物をシリカゲルカラムクロマトグラフィー（塩化メチレン／テトラヒドロフラン（塩化メチレン：テトラヒドロフラン（体積比）（２０：１））で精製することにより、化合物（Ｒ）−１０（６５４ｍｇ、収率７７％）を白色固体として得た。得られた化合物（Ｒ）−１０のスペクトルデータを以下に示す。【０１４１】
スペクトルデータ
ｍｐ  266 ℃ (dec)
［α］26D +145 (c 1.01, CHCl3)
1Ｈ  ＮＭＲ（ＣＤＣｌ3、６００ＭＨｚ）  1.63 (s, 9H), 3.65 (d, J = 14.7 Hz, 2H), 3.90 (s, 6H), 4.16 (d, J = 14.7 Hz, 2H), 7.18 (d, J = 8.1 Hz, 2H), 7.48 (dt, J = 1.4, 8.1 Hz, 2H), 7.57 (dt, J = 1.4, 8.1 Hz, 2H), 7.78 (t, J = 7.9 Hz, 2H), 7.93 (d, J = 7.9 Hz, 2H), 8.04 (d, J = 8.1 Hz, 2H), 8.13 (d, J = 7.9 Hz, 2H), 8.67 (br s, 1H), 8.74 (s, 2H), 8.87 (d, J = 1.8 Hz, 2H), 9.03 (br s, 2H), 9.16 (br s, 2H)
13Ｃ  ＮＭＲ（ＣＤＣｌ3、１５０ＭＨｚ）  28.1, 52.8, 73.1, 82.4, 109.6, 110.0, 122.8, 125.1, 126.5, 126.8, 126.9, 129.85, 129.94, 130.1, 133.3, 134.1, 134.8, 135.4, 135.5, 141.3, 148.8, 149.5, 151.9, 162.9, 163.8, 165.7, 166.7
ＩＲ（ＫＢｒ）  3393, 2976, 1705, 1585, 1522, 1452, 1302, 1244, 1155, 1076, 800 cm-1【０１４２】
［Chiral Stationary Phase（ＣＳＰ−３）の調製］
化合物（Ｒ）−１０（１．１５ｇ、１．２４ｍｍｏｌ）のトリフルオロ酢酸溶液（３．１ｍＬ、４０ｍｍｏｌ）を室温、窒素雰囲気下で７時間半攪拌した。得られた混合液から溶媒を留去後、得られた固体の生成物を真空乾燥して、化合物（Ｒ）−１０のｔ−ブチル基が水素に置き換わった、化合物（Ｒ）−１０のカルボン酸を得た。１５０ ℃で４時間真空乾燥した後に窒素下で放冷しておいた３−アミノプロピルシリカゲル（２．４７ｇ）へ、化合物（Ｒ）−１０のカルボン酸（１．０８ｇ、１．２４ｍｍｏｌ）を溶かした乾燥塩化メチレン（５ｍＬ）と乾燥テトラヒドロフラン（６ｍＬ）の混合溶液、ＤＣＣ（４０５ｍｇ、１．９６ｍｍｏｌ）ならびにＨＯＢＴ（２５７ｍｇ、１．９０ｍｍｏｌ）を加えた。得られたスラリーをメカニカルスターラーで室温下４８時間攪拌後、ＤＣＣ（４０７ｍｇ、１．９７ｍｍｏｌ）、ＨＯＢＴ（２５６ｍｇ、１．８９ｍｍｏｌ）、酢酸（０．２０ｍＬ、３．５ｍｍｏｌ）を前記スラリーに加えてさらに２４時間攪拌した。得られたスラリーを濾過して得られるシリカゲルをテトラヒドロフラン、塩化メチレン、エタノール、熱エタノールの順序で洗浄し、真空乾燥することにより、ＣＳＰ−３を白色粉末として得た。【０１４３】
［実施例７］キラル固定相ＣＳＰ−４の調製
以下に示す合成経路でキラル固定相ＣＳＰ−４を調製した。【０１４４】
【化２２】
2009096540.tif 000033
【０１４５】
［(R)-2,2'-Bis[(tert-butoxycarbonyl)methoxy]-3,3'-dibromo-1,1'-binaphthyl（化合物（Ｒ）−１１）の合成］
（Ｒ）−３，３'−ジブロモ−１，１'−ビ−２−ナフトール（４３３ｍｇ、０．９７４ｍｍｏｌ）とブロモ酢酸ｔ−ブチルエステル（０．３５ｍＬ、２．４ｍｍｏｌ）ならびに炭酸カリウム（３３７ｍｇ、２．４４ｍｍｏｌ）を入れたアセトン混合溶液（１５ｍＬ）を１２時間加熱還流した。得られた反応混合物を濾過し、得られた濾液から溶媒を留去し、固体の生成物を得た。得られた生成物をアルミナカラムクロマトグラフィー（ヘキサン／酢酸エチル（ヘキサン：酢酸エチル（体積比）=５：１））で精製することにより、化合物（Ｒ）−１１（６２８ｍｇ、収率９６％) を白色固体として得た。得られた化合物（Ｒ）−１１のスペクトルデータを以下に示す。【０１４６】
スペクトルデータ
ｍｐ  119 ℃
1Ｈ ＮＭＲ（ＣＤＣｌ3、６００ＭＨｚ） 1.27 (s, 18H), 4.16 (d, J = 15.3 Hz, 2H), 4.54 (d, J = 15.3 Hz, 2H), 7.02 (d, J = 8.0 Hz, 2H), 7.27 (t, J = 8.0 Hz, 2H), 7.42 (t, J = 8.0 Hz, 2H), 7.80 (d, J = 8.0 Hz, 2H), 8.24 (s, 2H)
13Ｃ  ＮＭＲ（ＣＤＣｌ3、１５０ＭＨｚ）  27.8, 70.4, 81.5, 117.0, 125.7, 126.1, 126.5, 127.1, 131.6, 132.8, 133.0, 151.3, 167.1
ＩＲ（ＫＢｒ）  3050, 2981, 1757, 1365, 1218, 1147, 1094, 1064, 1023, 748 cm-1【０１４７】
［Chiral Macrocycle （Ｒ）−１２（化合物（Ｒ）−１２）の合成］
化合物（Ｒ）−１１（４．２４ｇ、６．３０ｍｍｏｌ）のトリフルオロ酢酸溶液（１３ｍＬ、１７０ｍｍｏｌ）を室温、窒素雰囲気下で１３時間攪拌した。得られた混合液から溶媒を留去後、得られた固体の生成物を真空乾燥して、化合物（Ｒ）−１１のｔ−ブチル基が水素に置き換わった、化合物（Ｒ）−１１のカルボン酸を得た。前記カルボン酸（２．７０ｇ、４．８２ｍｍｏｌ）の乾燥塩化メチレン懸濁液（２７０ｍＬ）に塩化オキサリル（４．８ｍＬ、５６ｍｍｏｌ）、乾燥ジメチルホルムアミド（３滴）を加えて室温下４時間攪拌した。得られた混合液からエバポレーターによって揮発性物質を取り除き、得られた固体を３時間真空乾燥した。得られた化合物（Ｒ）−１１の酸クロリド（Ｒ）−１２は、これ以上精製せずに使用した。【０１４８】
酸クロリド（Ｒ）−１２（２．８８ｇ、４．８２ｍｍｏｌ）の乾燥テトラヒドロフラン溶液（１５０ｍＬ）と化合物７（２．０４ｇ、４．５５ｍｍｏｌ）ならびにトリエチルアミン（１．３ｍＬ、９．３ｍｍｏｌ）の乾燥テトラヒドロフラン溶液（１５０ｍＬ）を乾燥テトラヒドロフラン（２００ｍＬ）に室温下でそれぞれ同じ速度で５時間かけて滴下した。得られた混合液をさらに１０時間攪拌し、前記混合液からエバポレーターによって揮発性物質を取り除いた。得られた固体残渣を塩化メチレンに溶解して、得られた溶液を飽和食塩水（１００ｍＬ）で洗浄し、硫酸ナトリウムで乾燥後、減圧濃縮し、固体の生成物を得た。得られた生成物をシリカゲルカラムクロマトグラフィー （塩化メチレン／テトラヒドロフラン（塩化メチレン：テトラヒドロフラン（体積比）＝２０：１））で精製することにより、化合物（Ｒ）−１３（１．６２ｇ、収率３６％）を黄色固体として得た。得られた化合物（Ｒ）−１３のスペクトルデータを以下に示す。【０１４９】
スペクトルデータ
1Ｈ ＮＭＲ（ＣＤＣｌ3、５００ＭＨｚ） 1.63 (s, 9H), 3.75 (d, J = 15.0 Hz, 2H), 4.27 (d, J = 15.0 Hz, 2H), 7.13 (d, J = 8.0 Hz, 2H), 7.40 (t, J = 8.0 Hz, 2H), 7.54 (t, J = 8.0 Hz, 2H), 7.78 (t, J = 8.3 Hz, 2H), 7.88-7.92 (m, 4H), 8.14 (d, J = 8.0 Hz, 2H), 8.33 (s, 2H), 8.43 (br s, 1H), 8.86 (s, 2H), 8.88 (s, 2H), 8.98 (br s, 2H)
13Ｃ  ＮＭＲ（ＣＤＣｌ3、１５０ＭＨｚ）  28.0, 71.8, 82.3, 109.7, 109.9, 116.0, 125.3, 126.7, 127.08, 127.13, 127.7, 128.0, 131.9, 132.4, 133.2, 133.9, 134.0, 134.4, 141.2, 148.5, 149.59, 149.61, 163.3, 163.6, 165.9【０１５０】
［Chiral Stationary Phase（ＣＳＰ−４）の調製］
化合物（Ｒ）−１３（１．５１ｇ、１．５６ｍｍｏｌ）のトリフルオロ酢酸溶液（３．５ｍＬ、４５ｍｍｏｌ）を室温、窒素雰囲気下で１５時間攪拌した。得られた混合液から溶媒を留去後、得られた固体の生成物を真空乾燥して、化合物 （Ｒ）−１３のｔ−ブチル基が水素に置き換わった、化合物（Ｒ）−１３のカルボン酸を得た。１５０℃で４時間真空乾燥した後に窒素下で放冷しておいた３−アミノプロピルシリカゲル（２．９６ｇ）へ、化合物（Ｒ）−１３のカルボン酸 （１．３６ｇ、１．４８ｍｍｏｌ）を溶かした乾燥テトラヒドロフラン（１０ｍＬ）と乾燥塩化メチレン（１０ｍＬ）の混合溶液、ＤＣＣ（４６３ｍｇ、２．２４ｍｍｏｌ）ならびにＨＯＢＴ（３０３ｍｇ、２．２４ｍｍｏｌ）を加えた。得られたスラリーをメカニカルスターラーで室温、窒素雰囲気下で１２時間攪拌後、ＤＣＣ（４４８ｍｇ、２．１７ｍｍｏｌ）、ＨＯＢＴ（１１８ｍｇ、０．８７１ｍｍｏｌ）を前記スラリーに加えてさらに２５時間半攪拌した。得られたスラリーを濾過して得られるシリカゲルをテトラヒドロフラン、塩化メチレン、エタノール、熱エタノールの順序で洗浄し、真空乾燥することにより修飾シリカゲルを白色粉末として得た。得られたシリカゲル（３．３０ｇ）の乾燥トルエンの懸濁液（２０ｍＬ）に１，１，１，３，３，３−ヘキサメチルジシラザン（ＨＭＤＳ）（１．４ｍＬ、６．７ｍｍｏｌ）を加えて、メカニカルスターラーで室温、窒素雰囲気下で２時間攪拌した。得られたスラリーを濾過して得られるシリカゲルをテトラヒドロフランで洗浄し、真空乾燥することにより、ＣＳＰ−４を白色粉末として得た。【０１５１】
［実施例８］キラル固定相ＣＳＰ−５の調製
以下に示す合成経路でキラル固定相ＣＳＰ−５を調製した。【０１５２】
【化２３】
2009096540.tif 000034
【０１５３】
［Chiral Stationary Phase（ＣＳＰ−５）の調製］
室温で真空乾燥しておいた３−グリシジルオキシプロピルシリカゲル（２．９５ｇ）の乾燥テトラヒドロフランの懸濁液（２０ｍＬ）に化合物（Ｒ）−５（１．４６ｇ、２．００ｍｍｏｌ）、トリエチルアミン（０．２８ｍＬ、２．０ｍｍｏｌ）を加えてメカニカルスターラーで窒素雰囲気下、４３時間半加熱還流した。得たれたスラリーを濾過して得られるシリカゲルをテトラヒドロフラン、アセトン、エタノール、ジエチルエーテルの順序で洗浄し、真空乾燥することにより、修飾シリカゲルを白色粉末として得た。得られたシリカゲル（３．２７ｇ）の乾燥トルエンの懸濁液（２０ｍＬ）にＨＭＤＳ（１．８ｍＬ、８．５ｍｍｏｌ）を加えて、メカニカルスターラーで室温下２時間攪拌した。得られたスラリーを濾過して得られるシリカゲルをトルエン、テトラヒドロフラン、ジエチルエーテルの順序で洗浄し、真空乾燥することにより、ＣＳＰ−５を白色粉末として得た。【０１５４】
なお３−グリシジルオキシプロピルシリカゲルには、定法により、市販品３−グリシジルオキシプロピル（ジメトキシ）メチルシラン（東京化成）とシリカゲル（和光純薬、Ｗａｋｏｓｉｌ  ５ＳＩＬ）とをトルエン中で加熱を行うことに
より得た３−グリシジルオキシプロピルシリカゲルを用いた。【０１５５】
［実施例９］キラル固定相ＣＳＰ−６の調製
以下に示す合成経路でキラル固定相ＣＳＰ−６を調製した。【０１５６】
【化２４】
2009096540.tif 000035
【０１５７】
［Chiral Macrocycle （Ｒ）−１４（化合物（Ｒ）−１４）の合成］
化合物（Ｒ）−５（２．１９ｇ、３．００ｍｍｏｌ）と１，６−ジブロモヘキサン（４．５ｍＬ、３０ｍｍｏｌ）ならびに炭酸カリウム（０．６２０ｇ、４．４９ｍｍｏｌ）を入れた乾燥ジメチルホルムアミド混合溶液（１０ｍＬ）を窒素雰囲気下、７０℃で４７時間攪拌した。得られた反応混合物を濾過し、得られた濾液から溶媒を留去し、固体の生成物を得た。得られた生成物をシリカゲルカラムクロマトグラフィー（塩化メチレン／テトラヒドロフラン（塩化メチレン：テトラヒドロフラン（体積比）（３０：１））で精製することにより、化合物（Ｒ）−１４（１．２３ｇ、収率４６％）を白色固体として得た。得られた化合物（Ｒ）−１４のスペクトルデータを以下に示す。【０１５８】
スペクトルデータ
1Ｈ  ＮＭＲ（ＣＤＣｌ3、６００ＭＨｚ）1.53 (quint, J = 3.5 Hz, 4H), 1.84-1.93 (m, 4H), 3.43 (t, J = 6.5 Hz, 2H), 4.10 (t, J = 6.5 Hz, 2H), 4.28 (d, J = 16.0 Hz, 2H), 4.52 (d, J = 16.0 Hz, 2H), 7.30 (d, J = 7.9 Hz, 2H), 7.39 (dt, J = 1.2, 7.9 Hz, 2H), 7.44 (d, J = 9.0 Hz, 2H), 7.47 (dt, J = 1.2, 7.9 Hz, 2H), 7.71 (s, 1H), 7.79-7.82 (m, 4H), 7.93 (d, J = 7.9 Hz, 2H), 7.99 (d, J = 8.0 Hz, 2H), 8.03 (d, J = 9.0 Hz, 2H), 8.14 (d, J = 8.0 Hz, 2H), 8.70 (br s, 2H), 8.78 (br s, 2H)
13Ｃ  ＮＭＲ（ＣＤＣｌ3、１５０ＭＨｚ）  25.1, 27.8, 28.8, 32.5, 33.7, 68.3, 72.9, 109.7, 110.0, 115.0, 118.4, 119.1, 122.8, 125.2, 125.5, 127.2, 128.3, 130.8, 130.9, 133.4, 134.9, 140.9, 148.3, 149.4, 154.0, 160.4, 163.3, 167.3【０１５９】
［Chiral Stationary Phase（ＣＳＰ−６）の調製］
室温で真空乾燥しておいた３−アミノプロピルシリカゲル（２．９０ｇ）の乾燥テトラヒドロフランの懸濁液（２０ｍＬ）に化合物（Ｒ）−１４（１．０９ｇ、１．２２ｍｍｏｌ）を加えてメカニカルスターラーで窒素雰囲気下、４２時間加熱還流した。得られたスラリーを濾過して得られるシリカゲルを５０％エタノール水溶液、エタノール、テトラヒドロフラン、ジエチルエーテルの順序で洗浄し、真空乾燥することにより、修飾シリカゲルを白色粉末として得た。得られたシリカゲル（３．０１ｇ）の乾燥トルエンの懸濁液（２０ｍＬ）にＨＭＤＳ（１．８ｍＬ、８．５ｍｍｏｌ）を加えて、メカニカルスターラーで室温下２時間半攪拌した。得られたスラリーを濾過して得られるシリカゲルをトルエン、テトラヒドロフラン、ジエチルエーテルの順序で洗浄し、真空乾燥することにより、ＣＳＰ−６を白色粉末として得た。【０１６０】
［実施例１０］キラル固定相ＣＳＰ−７の調製
以下に示す合成経路でキラル固定相ＣＳＰ−７を調製した。【０１６１】
【化２５】
2009096540.tif 000036
【０１６２】
［Chiral Macrocycle （Ｒ）−１５（化合物（Ｒ）−１５）の合成］
化合物（Ｒ）−５（１．８０ｇ、２．４６ｍｍｏｌ）と臭化アリル（０．２６ｍＬ、３．０ｍｍｏｌ）ならびに炭酸カリウム（０．５１０ｇ、３．６９ｍｍｏｌ）を入れた乾燥テトラヒドロフラン混合溶液（２５ｍＬ）を窒素雰囲気下、２時間加熱還流した後、臭化アリル（０．２６ｍＬ、３．０ｍｍｏｌ）と乾燥テトラヒドロフラン（５ｍＬ）を前記反応混合物に加えてさらに１６時間半加熱還流した。得られた反応混合物を濾過し、得られた濾液から溶媒を留去し、固体の生成物を得た。得られた生成物をシリカゲルカラムクロマトグラフィー（塩化メチレン／テトラヒドロフラン（塩化メチレン：テトラヒドロフラン（体積比）（２０：１））で精製することにより、化合物（Ｒ）−１５（０．７９１ｇ、収率４２％）を白色固体として得た。得られた化合物（Ｒ）−１５のスペクトルデータを以下に示す。【０１６３】
スペクトルデータ
ｍｐ  258 ℃ (dec)
1Ｈ  ＮＭＲ（ＣＤＣｌ3、６００ＭＨｚ）4.28 (d, J = 16.0 Hz, 2H), 4.52 (d, J = 16.0 Hz, 2H), 4.68 (td, J = 1.5, 5.0 Hz, 2H), 5.34 (qd, J = 1.5, 10.5 Hz, 1H), 5.46 (qd, J = 1.5, 17.0 Hz, 1H), 6.02-6.10 (m, 1H), 7.30 (d, J = 8.0 Hz, 2H), 7.38 (dt, J = 1.0, 8.0 Hz, 2H), 7.44 (d, J = 9.0 Hz, 2H), 7.48 (dt, J = 1.0, 8.0 Hz, 2H), 7.81-7.85 (m, 5H), 7.93 (d, J = 8.0 Hz, 2H), 7.99 (d, J = 8.0 Hz, 2H), 8.03 (d, J = 9.0 Hz, 2H), 8.15 (d, J = 8.0 Hz, 2H), 8.81 (br s, 4H)
13Ｃ  ＮＭＲ（ＣＤＣｌ3、１５０ＭＨｚ）  69.2, 73.1, 109.8, 110.2, 114.9, 118.4, 119.0, 119.2, 123.0, 125.2, 125.6, 127.3, 128.4, 130.9, 131.0, 132.2, 133.5, 135.2, 141.5, 148.4, 149.4, 154.1, 160.2, 163.2, 167.5
ＩＲ（ＫＢｒ）  3393, 3063, 1684, 1585, 1508, 1456, 1313, 1244, 1157, 804 cm-1【０１６４】
［Chiral Stationary Phase（ＣＳＰ−７）の調製］
室温で真空乾燥しておいた３−メルカプトプロピルシリカゲル（３．００ｇ）の乾燥クロロホルムの懸濁液（２０ｍＬ）に化合物（Ｒ）−１５（９４７ｍｇ、１．２３ｍｍｏｌ）、アゾビスイソブチロニトリル（７１ｍｇ、０．４３ｍｍｏｌ）を加えてメカニカルスターラーで窒素雰囲気下、２４時間加熱還流した。得られたスラリーを濾過して得られるシリカゲルをクロロホルム、メタノール、ジエチルエーテルの順序で洗浄し、真空乾燥することにより、修飾シリカゲルを白色粉末として得た。得られたシリカゲル（３．２９ｇ）の乾燥テトラヒドロフランの懸濁液（２０ｍＬ）にＨＭＤＳ（１．８ｍＬ、８．５ｍｍｏｌ）を加えて、メカニカルスターラーで室温下３時間攪拌した。得られたスラリーを濾過して得られるシリカゲルをテトラヒドロフラン、ジエチルエーテルの順序で洗浄し、真空乾燥することにより、ＣＳＰ−７を白色粉末として得た。【０１６５】
なお３−メルカプトプロピルシリカゲルには、定法により、市販品（３−メルカプトプロピル）トリメトキシシラン（東京化成）とシリカゲル（和光純薬、Ｗａｋｏｓｉｌ  ５ＳＩＬ）とをトルエン中で加熱を行うことにより得た３−メルカプトプロピルシリカゲルを用いた。【０１６６】
［実施例１１］
［ＣＳＰ−３］を用いたＨＰＬＣ用カラムの作製
ＣＳＰ−３（３．５ｇ）をメタノールに分散し、得られたスラリーを用いて、φ０．４６ｃｍ×２５ｃｍＬのステンレス製カラムにスラリー方式のカラム充填を行い、ＣＳＰ−３が充填されてなるカラムを作製した。【０１６７】
得られたカラムを用いて、四種の評価条件によってＣＳＰ−３の不斉識別能力の評価を行った。評価用のサンプルには前記の化合物１〜９のラセミ体を用いた。以下のキラル固定相の不斉識別能力の評価について、評価条件ごとに説明する。【０１６８】
［評価（１）］
下記条件でＨＰＬＣにて４種の評価サンプル（化合物番号：３、４、５、６）を用いて不斉識別能力の評価を実施した。評価結果を表１１に示す。また各評価サンプルのそれぞれのクロマトグラムを図５６〜５９に示す。
（評価条件１）
移動相：ヘキサン／２−プロパノール＝９／１  (ｖ／ｖ)
流速：１．０ｍＬ／ｍｉｎ．
温度：２５℃
検出：ＵＶ２５４ｎｍ（サンプル５のみ２２５ｎｍ）【０１６９】
【表１１】
2009096540.tif 000037
【０１７０】
［評価（２）］
下記条件でＨＰＬＣにて５種の評価サンプル（化合物番号：３、４、５、６、８）を用いて不斉識別能力の評価を実施した。評価結果を表１２に示す。また各評価サンプルのそれぞれのクロマトグラムを図６０〜６４に示す。
（評価条件２）
移動相：ヘキサン／クロロホルム混合用液（組成比率  (ｖ／ｖ)は表中に記載）
流速：１．０ｍＬ／ｍｉｎ．
温度：２５℃
検出：ＵＶ２５４ｎｍ（サンプル５のみ２２５ｎｍ）【０１７１】
【表１２】
2009096540.tif 000038
【０１７２】
［評価（３）］
下記条件でＨＰＬＣにて１種の評価サンプル（化合物番号：３）を用いて不斉識別能力の評価を実施した。評価結果を表１３に示す。また各評価サンプルのそれぞれのクロマトグラムを図６５に示す。
（評価条件３）
移動相：メタノール
流速：１．０ｍＬ／ｍｉｎ．
温度：２５℃
検出：ＵＶ２５４ｎｍ【０１７３】
【表１３】
2009096540.tif 000039
【０１７４】
［評価（４）］
下記条件でＨＰＬＣにて４種の評価サンプル（化合物番号：２、３、６、８）を用いて不斉識別能力の評価を実施した。評価結果を表１４に示す。また各評価サンプルのそれぞれのクロマトグラムを図６６〜６９に示す。
（評価条件４）
移動相：アセトニトリル
流速：１．０ｍＬ／ｍｉｎ．
温度：２５℃
検出：ＵＶ２５４ｎｍ【０１７５】
【表１４】
2009096540.tif 000040
【０１７６】
［実施例１２］
［ＣＳＰ−４］を用いたＨＰＬＣ用カラムの作製
ＣＳＰ−４（３．５ｇ）をメタノールに分散し、得られたスラリーを用いて、φ０．４６ｃｍ×２５ｃｍＬのステンレス製カラムにスラリー方式のカラム充填を行い、ＣＳＰ−４が充填されてなるカラムを作製した。【０１７７】
得られたカラムを用いて、下記の評価条件によってＣＳＰ−４の不斉識別能力の評価を行った。評価用のサンプルには前記の化合物１〜９のラセミ体を用いた。【０１７８】
［評価（１）］
下記条件でＨＰＬＣにて４種の評価サンプル（化合物番号：１、３、６、８）を用いて不斉識別能力の評価を実施した。評価結果を表１５に示す。また各評価サンプルのそれぞれのクロマトグラムを図７０〜７３に示す。
（評価条件１）
移動相：ヘキサン／２−プロパノール＝９／１  (ｖ／ｖ)
流速：０．４ｍＬ／ｍｉｎ．
温度：２５℃
検出：ＵＶ２５４ｎｍ【０１７９】
【表１５】
2009096540.tif 000041
【０１８０】
［実施例１３］
［ＣＳＰ−５］を用いたＨＰＬＣ用カラムの作製
ＣＳＰ−５（３．５ｇ）をメタノールに分散し、得られたスラリーを用いて、φ０．４６ｃｍ×２５ｃｍＬのステンレス製カラムにスラリー方式のカラム充填を行い、ＣＳＰ−５が充填されてなるカラムを作製した。【０１８１】
得られたカラムを用いて、下記の評価条件によってＣＳＰ−５の不斉識別能力の評価を行った。評価用のサンプルには前記の化合物１〜９のラセミ体を用いた。【０１８２】
［評価（１）］
下記条件でＨＰＬＣにて３種の評価サンプル（化合物番号：３、６、８）を用いて不斉識別能力の評価を実施した。評価結果を表１６に示す。また各評価サンプルのそれぞれのクロマトグラムを図７４〜７６に示す。
（評価条件１）
移動相：ヘキサン／２−プロパノール＝９／１  (ｖ／ｖ)
流速：０．４ｍＬ／ｍｉｎ．
温度：２５℃
検出：ＵＶ２５４ｎｍ【０１８３】
【表１６】
2009096540.tif 000042
【０１８４】
［実施例１４］
［ＣＳＰ−６］を用いたＨＰＬＣ用カラムの作製
ＣＳＰ−６（３．５ｇ）をメタノールに分散し、得られたスラリーを用いて、φ０．４６ｃｍ×２５ｃｍＬのステンレス製カラムにスラリー方式のカラム充填を行い、ＣＳＰ−６が充填されてなるカラムを作製した。【０１８５】
得られたカラムを用いて、下記の評価条件によってＣＳＰ−６の不斉識別能力の評価を行った。評価用のサンプルには前記の化合物１〜９のラセミ体を用いた。【０１８６】
［評価（１）］
下記条件でＨＰＬＣにて６種の評価サンプル（化合物番号：２、３、４、５、６、８）を用いて不斉識別能力の評価を実施した。評価結果を表１７に示す。また各評価サンプルのそれぞれのクロマトグラムを図７７〜８２に示す。
（評価条件１）
移動相：ヘキサン／２−プロパノール＝９／１  (ｖ／ｖ)
流速：１．０ｍＬ／ｍｉｎ．
温度：２５℃
検出：ＵＶ２５４ｎｍ（サンプル５のみ２２５ｎｍ）【０１８７】
【表１７】
2009096540.tif 000043
【０１８８】
［実施例１５］
［ＣＳＰ−７］を用いたＨＰＬＣ用カラムの作製
ＣＳＰ−７（３．５ｇ）をメタノールに分散し、得られたスラリーを用いて、φ０．４６ｃｍ×２５ｃｍＬのステンレス製カラムにスラリー方式のカラム充填を行い、ＣＳＰ−７が充填されてなるカラムを作製した。【０１８９】
得られたカラムを用いて、下記の評価条件によってＣＳＰ−７の不斉識別能力の評価を行った。評価用のサンプルには前記の化合物１〜９のラセミ体を用いた。【０１９０】
［評価（１）］
下記条件でＨＰＬＣにて８種の評価サンプル（化合物番号：１、２、３、４、５、６、８、９）を用いて不斉識別能力の評価を実施した。評価結果を表１８に示す。また各評価サンプルのそれぞれのクロマトグラムを図８３〜９０に示す。
（評価条件１）
移動相：ヘキサン／２−プロパノール＝９／１  (ｖ／ｖ)
流速：１．０ｍＬ／ｍｉｎ．
温度：２５℃
検出：ＵＶ２５４ｎｍ（サンプル５のみ２２５ｎｍ）【０１９１】
【表１８】
2009096540.tif 000044
【産業上の利用の可能性】
【０１９２】
本発明は、キラルシフト性を有する環構造をキラルセレクターとして有する新規なクロマトグラフィー用光学異性体分離剤を提供することができる。本発明の分離剤は、前記環構造の量に応じた光学異性体の分離能の発揮が期待され、また分離対象の光学異性体に応じた環構造の設計により、特定の光学異性体に対して高い分離能を有する分離剤の形成が期待される。
【図１】
2009096540.tif 000055
【図２】
2009096540.tif 000056
【図３】
2009096540.tif 000057
【図４】
2009096540.tif 000058
【図５】
2009096540.tif 000059
【図６】
2009096540.tif 000060
【図７】
2009096540.tif 000061
【図８】
2009096540.tif 000062
【図９】
2009096540.tif 000063
【図１０】
2009096540.tif 000064
【図１１】
2009096540.tif 000065
【図１２】
2009096540.tif 000066
【図１３】
2009096540.tif 000067
【図１４】
2009096540.tif 000068
【図１５】
2009096540.tif 000069
【図１６】
2009096540.tif 000070
【図１７】
2009096540.tif 000071
【図１８】
2009096540.tif 000072
【図１９】
2009096540.tif 000073
【図２０】
2009096540.tif 000074
【図２１】
2009096540.tif 000075
【図２２】
2009096540.tif 000076
【図２３】
2009096540.tif 000077
【図２４】
2009096540.tif 000078
【図２５】
2009096540.tif 000079
【図２６】
2009096540.tif 000080
【図２７】
2009096540.tif 000081
【図２８】
2009096540.tif 000082
【図２９】
2009096540.tif 000083
【図３０】
2009096540.tif 000084
【図３１】
2009096540.tif 000085
【図３２】
2009096540.tif 000086
【図３３】
2009096540.tif 000087
【図３４】
2009096540.tif 000088
【図３５】
2009096540.tif 000089
【図３６】
2009096540.tif 000090
【図３７】
2009096540.tif 000091
【図３８】
2009096540.tif 000092
【図３９】
2009096540.tif 000093
【図４０】
2009096540.tif 000094
【図４１】
2009096540.tif 000095
【図４２】
2009096540.tif 000096
【図４３】
2009096540.tif 000097
【図４４】
2009096540.tif 000098
【図４５】
2009096540.tif 000099
【図４６】
2009096540.tif 000100
【図４７】
2009096540.tif 000101
【図４８】
2009096540.tif 000102
【図４９】
2009096540.tif 000103
【図５０】
2009096540.tif 000104
【図５１】
2009096540.tif 000105
【図５２】
2009096540.tif 000106
【図５３】
2009096540.tif 000107
【図５４】
2009096540.tif 000108
【図５５】
2009096540.tif 000109
【図５６】
2009096540.tif 000110
【図５７】
2009096540.tif 000111
【図５８】
2009096540.tif 000112
【図５９】
2009096540.tif 000113
【図６０】
2009096540.tif 000114
【図６１】
2009096540.tif 000115
【図６２】
2009096540.tif 000116
【図６３】
2009096540.tif 000117
【図６４】
2009096540.tif 000118
【図６５】
2009096540.tif 000119
【図６６】
2009096540.tif 000120
【図６７】
2009096540.tif 000121
【図６８】
2009096540.tif 000122
【図６９】
2009096540.tif 000123
【図７０】
2009096540.tif 000124
【図７１】
2009096540.tif 000125
【図７２】
2009096540.tif 000126
【図７３】
2009096540.tif 000127
【図７４】
2009096540.tif 000128
【図７５】
2009096540.tif 000129
【図７６】
2009096540.tif 000130
【図７７】
2009096540.tif 000131
【図７８】
2009096540.tif 000132
【図７９】
2009096540.tif 000133
【図８０】
2009096540.tif 000134
【図８１】
2009096540.tif 000135
【図８２】
2009096540.tif 000136
【図８３】
2009096540.tif 000137
【図８４】
2009096540.tif 000138
【図８５】
2009096540.tif 000139
【図８６】
2009096540.tif 000140
【図８７】
2009096540.tif 000141
【図８８】
2009096540.tif 000142
【図８９】
2009096540.tif 000143
【図９０】
2009096540.tif 000144
【国際調査報告】
2009096540.tif 000145
2009096540.tif 000146
2009096540.tif 000147
2009096540.tif 000148